(57)【特許請求の範囲】
【請求項１】
基地局を動作させる方法であって、
第１の期間中に、アップリンク周波数帯域において前記基地局に送信中の複数のセルラー通信デバイスからアップリンク信号を受信することと、
前記アップリンク周波数帯域と異なる第２の周波数帯域を用いて前記複数の通信デバイスのうちの少なくともいくつかに送信することと、ここにおいて、前記第２の周波数帯域は、ダウンリンク周波数帯域である、
前記アップリンク周波数帯域において、第２の期間中にブロードキャスト信号を送信することと
を備える、方法。
【請求項２】
前記ブロードキャスト信号は、ビーコン信号である請求項１に記載の方法。
【請求項３】
前記ブロードキャスト信号は、電力送信レベル制御信号である請求項１に記載の方法。
【請求項４】
前記電力送信レベル制御信号は、ピア・ツー・ピア電力送信レベル制御信号である請求項３に記載の方法。
【請求項５】
セルラー通信デバイスからの前記アップリンク信号は、前記アップリンク周波数帯域において送信されて前記アップリンク信号と干渉するピア・ツー・ピア通信信号が存在する状態で前記第１の期間中に受信される請求項１に記載の方法。
【請求項６】
基地局であって、
第１の期間中に、アップリンク周波数帯域において前記基地局に送信中の複数のセルラー通信デバイスからアップリンク信号を受信するための無線受信機モジュールと、
ダウンリンク周波数帯域を用いて前記複数のセルラー通信デバイスのうちの少なくともいくつかに送信するための及び前記アップリンク周波数帯域において第２の期間中にブロードキャスト信号を送信するための無線送信機モジュールと
を備え、前記アップリンク周波数帯域及び前記ダウンリンク周波数帯域は異なる、
基地局。
【請求項７】
前記第１及び第２の期間は、重なり合わない請求項６に記載の基地局。
【請求項８】
前記ブロードキャスト信号は、ビーコン信号であり、
前記アップリンク周波数帯域内に送信されるビーコン信号を生成するためのビーコン信号生成モジュールをさらに備える請求項６に記載の基地局。
【請求項９】
前記ブロードキャスト信号は、電力送信レベル制御信号である請求項６に記載の基地局。
【請求項１０】
前記電力送信レベル制御信号は、ピア・ツー・ピア電力送信レベル制御信号である請求項９に記載の基地局。
【請求項１１】
セルラー通信デバイスからの前記アップリンク信号は、前記アップリンク周波数帯域において送信されて前記アップリンク信号と干渉するピア・ツー・ピア通信信号が存在する状態で前記第１の期間中に受信される請求項６に記載の基地局。
【請求項１２】
前記基地局は、前記アップリンク周波数帯域内の前記ビーコン信号に加えて、前記ダウンリンク周波数帯域内にもビーコン信号を送信する請求項８に記載の基地局。
【請求項１３】
前記ダウンリンク帯域内への前記ビーコン信号は、セルラー通信デバイスによって用いられ、前記アップリンク周波数帯域内への前記ビーコン信号は、ピア・ツー・ピア通信デバイスによって用いられる請求項８に記載の基地局。
【請求項１４】
前記ダウンリンク帯域内の少なくとも１つのビーコン信号は、基地局識別のためにセルラー通信デバイスによって用いられ、前記アップリンク周波数帯域内への少なくとも１つのビーコン信号は、ピア・ツー・ピア送信電力制御に関してピア・ツー・ピア通信デバイスによって用いられる請求項８に記載の基地局。
【請求項１５】
基地局であって、
第１の期間中に、アップリンク周波数帯域において前記基地局に送信中の複数のセルラー通信デバイスからアップリンク信号を受信するための無線受信機手段と、
ダウンリンク周波数帯域を用いて前記複数のセルラー通信デバイスのうちの少なくともいくつかに送信するための及び前記アップリンク周波数帯域において第２の期間中にブロードキャスト信号を送信するための手段と
を備え、前記アップリンク周波数帯域及び前記ダウンリンク周波数帯域は異なる、
基地局。
【請求項１６】
前記ブロードキャスト信号は、ビーコン信号であり、
前記アップリンク周波数帯域内に送信されるビーコン信号を生成するための手段をさらに備える請求項１５に記載の基地局。
【請求項１７】
前記ブロードキャスト信号は、電力送信レベル制御信号である請求項１５に記載の基地局。
【請求項１８】
セルラー通信デバイスからの前記アップリンク信号は、前記アップリンク周波数帯域において送信されて前記アップリンク信号と干渉するピア・ツー・ピア通信信号が存在する状態で前記第１の期間中に受信される請求項１５に記載の基地局。
【請求項１９】
前記基地局は、
前記アップリンク周波数帯域内の前記ビーコン信号に加えて、前記ダウンリンク周波数帯域内にビーコン信号を送信するための手段をさらに備える請求項１６に記載の基地局。
【請求項２０】
前記ダウンリンク帯域内への前記ビーコン信号は、セルラー通信デバイスによって用いられ、前記アップリンク周波数帯域内への前記ビーコン信号は、ピア・ツー・ピア通信デバイスによって用いられる請求項１６に記載の基地局。
【請求項２１】
基地局が方法を実装するように制御するための機械によって実行可能な命令を具体化したコンピュータによって読み取り可能な媒体であって、
前記方法は、
第１の期間中に、アップリンク周波数帯域において前記基地局に送信中の複数のセルラー通信デバイスからアップリンク信号を受信することと、
前記アップリンク周波数帯域と異なる第２の周波数帯域を用いて前記複数の通信デバイスのうちの少なくともいくつかに送信することと、ここにおいて、前記第２の周波数帯域は、ダウンリンク周波数帯域である、
前記アップリンク周波数帯域において、第２の期間中にブロードキャスト信号を送信することと
を備える、コンピュータによって読み取り可能な媒体。
【請求項２２】
前記ブロードキャスト信号は、ビーコン信号である請求項２１に記載のコンピュータによって読み取り可能な媒体。
【請求項２３】
前記ブロードキャスト信号は、電力送信レベル制御信号である請求項２１に記載のコンピュータによって読み取り可能な媒体。
【請求項２４】
前記電力送信レベル制御信号は、ピア・ツー・ピア電力送信レベル制御信号である請求項２３にコンピュータによって読み取り可能な媒体。
【請求項２５】
セルラー通信デバイスからの前記アップリンク信号は、前記アップリンク周波数帯域において送信されて前記アップリンク信号と干渉するピア・ツー・ピア通信信号が存在する状態で前記第１の期間中に受信される請求項２１に記載のコンピュータによって読み取り可能な媒体。
【請求項２６】
装置であって、
第１の期間中に、アップリンク周波数帯域において前記基地局プロセッサを含む基地局に送信中の複数のセルラー通信デバイスからアップリンク信号を受信し、
前記アップリンク周波数帯域と異なる第２の周波数帯域を用いて前記複数の通信デバイスのうちの少なくともいくつかに送信し、
前記アップリンク周波数帯域において、第２の期間中にブロードキャスト信号を送信するように構成されたプロセッサを備え、前記第２の周波数帯域は、ダウンリンク周波数帯域である、
装置。
【請求項２７】
前記ブロードキャスト信号は、ビーコン信号である請求項２６に記載の装置。
【請求項２８】
前記ブロードキャスト信号は、電力送信レベル制御信号である請求項２６に記載の装置。
【請求項２９】
前記電力送信レベル制御信号は、ピア・ツー・ピア電力送信レベル制御信号である請求項２８に記載の装置。
【請求項３０】
セルラー通信デバイスからの前記アップリンク信号は、前記アップリンク周波数帯域において送信されて前記アップリンク信号と干渉するピア・ツー・ピア通信信号が存在する状態で前記第１の期間中に受信される請求項２６に記載の装置。
【発明の詳細な説明】
【技術分野】
【０００１】
関連出願
本特許出願は、“BEACONS IN A MIXED WIRELESS COMMUNICATION SYSTEM”（混成無線通信システムにおけるビーコン）という題名を有し、本明細書において参照されることによって本明細書に組み入れられている米国仮特許出願一連番号６０／８４５，０５３（出願日：２００６年９月１５日）の利益を主張するものである。
【０００２】
本発明は、無線通信に関する方法及び装置を対象とするものである。本発明は、より具体的には、ピア・ツー・ピア通信に関連する方法及び装置を対象とするものである。
【背景技術】
【０００３】
無線スペクトルは、高コストで高価な資源である。広域ネットワークシステム、例えばセルラーシステム、においては、ＷＡＮに割り当てられた無線スペクトルは、十分に利用されないことが時々ある。このような十分に利用されていないエアリンク資源を認識及び／又は利用する方法及び装置が開発されれば有利になる。例えば、ＷＡＮによって割り当てられた又は使用中のスペクトルが、ＷＡＮ通信に関するスペクトルの使用と有意な干渉をしない形でピア・ツー・ピア通信に関しても使用可能であれば有益である。
【発明の概要】
【０００４】
広域ネットワーク（ＷＡＮ）アップリンク帯域幅をピア・ツー・ピア通信シグナリングの使用と共有することに関連する方法及び装置が説明される。典型的には、基地局は、前記基地局をネットワークアタッチメントポイントとして用いる無線端末からのアップリンク信号を受信するためにＷＡＮアップリンク帯域を用いる。様々な実施形態の一特長により、基地局stetは、例えば信号、例えばビーコン信号、を自己のＷＡＮアップリンク帯域幅、例えばＷＡＮ周波数分割複信（ＦＤＤ）アップリンク帯域、内に送信する。ピア・ツー・ピア無線端末は、前記アップリンク帯域幅を走査し、前記基地局信号を検出し、受信された基地局信号を評価し、ピア・ツー・ピア送信を前記評価の関数として制御する。ピア・ツー・ピア送信の制御は、送信すべきかどうかを決定すること及び／又はピア・ツー・ピア送信電力を前記評価された受信された基地局信号の関数として調整することを含む。幾つかの実施形態においては、前記注入された信号は、ピア・ツー・ピア目的のために用いられるが、ＷＡＮ目的では用いられず、他方、その他の実施形態においては、前記注入された信号は、ピア・ツー・ピア及びＷＡＮ通信をサポートするために用いることができる。
【０００５】
ピア・ツー・ピア通信に関して用いられる通信帯域は、幾つかの実施形態においては、基地局信号が受信されたのと同じアップリンク帯域である。該事例においては、ピア・ツー・ピア無線端末は、単一の帯域にとどまることができ、その一方で依然として前記受信された基地局信号に応答することができる。
【０００６】
様々な実施形態による典型的無線通信端末動作方法は、アップリンク帯域幅を走査して基地局からの信号、例えばビーコン信号又はその他のブロードキャスト信号、を検出することと、前記基地局からの前記信号を評価することと、前記基地局からの前記信号を前記評価することに応じてピア・ツー・ピア信号を送信すること、とを含む。様々な実施形態による典型的無線通信端末は、アップリンク帯域幅を走査して基地局からの信号を検出するための走査モジュールと、前記基地局からの前記信号を評価するための信号評価モジュールと、前記基地局からの前記信号を前記評価することに応じてピア・ツー・ピア信号を送信するための無線送信機と、を含む。
【０００７】
様々な実施形態による典型的基地局動作方法は、第１の期間中に、アップリンク周波数帯域において前記基地局に送信中のセルラー通信デバイスからアップリンク信号を受信することと、前記アップリンク周波数帯域と異なる第２の周波数帯域を用いて前記通信デバイスの少なくとも一部に送信することであって、前記第２の周波数帯域は、ダウンリンク周波数帯域であることと、前記アップリンク周波数帯域において第２の期間中にブロードキャスト信号、例えばビーコン信号、を送信すること、とを備える。前記送信されたブロードキャスト信号は、幾つかの実施形態においては、ピア・ツー・ピア送信電力レベル制御パラメータである。様々な実施形態による典型的基地局は、第１の期間中に、アップリンク周波数帯域において前記基地局に送信中のセルラー通信デバイスからアップリンク信号を受信するための無線受信機モジュールと、ダウンリンク周波数帯域を用いて前記セルラー通信デバイスの少なくとも一部に送信するための及び前記アップリンク周波数帯域において第２の期間中にブロードキャスト信号を送信するための無線送信機モジュールと、を備え、前記アップリンク周波数帯域及び前記ダウンリンク周波数帯域は異なる。従って、基地局は、典型的ダウンリンク／アップリンクセルラー動作を実行することに加えて、典型的でない位置内にブロードキャスト信号を送信し、このブロードキャスト信号は、ピア・ツー・ピア動作をサポートするために用いられる。
【０００８】
上記の発明の概要においては様々な実施形態が論じられている一方で、必ずしもすべての実施形態が同じ特長を含むわけではなく、上述される特長の一部は必ずしも必要ないが幾つかの実施形態においては望ましい可能性があるということが明確に理解されるべきである。以下の発明を実施するための形態においては、数多くの追加の特長、実施形態及び利益が説明される。
【図面の簡単な説明】
【０００９】
【図１】様々な実施形態による、無線通信端末、例えばピア・ツー・ピア通信をサポートする無線通信端末、を動作させる典型的方法の流れ図である。
【図２】様々な実施形態による、典型的無線端末、例えばピア・ツー・ピア通信をサポートするモバイルノード、の図である。
【図３】様々な実施形態による、典型的基地局動作方法の流れ図である。
【図４】様々な実施形態による典型的基地局の図である。
【図５】様々な実施形態によるピア・ツー・ピアシグナリングをサポートする無線通信デバイスを動作させる典型的方法の流れ図である。
【図６】様々な実施形態による典型的無線通信デバイス、例えばピア・ツー・ピア通信をサポートするモバイルノード等の無線端末、の図である。
【図７】図７Ａと図７Ｂとを組み合わせた図である。
【図７Ａ】様々な実施形態によるピア・ツー・ピア通信をサポートする無線通信デバイスを動作させる典型的方法の流れ図である。
【図７Ｂ】様々な実施形態によるピア・ツー・ピア通信をサポートする無線通信デバイスを動作させる典型的方法の流れ図である。
【図８】様々な実施形態による典型的無線通信デバイス、例えばピア・ツー・ピア通信をサポートするモバイルノード等の無線端末、の図である。
【図９】典型的通信システムと、周波数帯域使用情報を説明する表と、典型的ピア・ツー・ピア無線端末送信電力レベル情報を示す表と、を含む１つの典型的実施形態を示した図である。
【図１０】様々な実施形態による典型的無線通信システムの図である。
【図１１】様々な実施形態による典型的基地局動作方法の流れ図である。
【図１２】様々な実施形態による典型的基地局動作方法の流れ図である。
【図１３】様々な実施形態による典型的基地局の流れ図である。
【図１４】様々な実施形態による典型的通信システムと周波数帯域使用表とを含む図である。
【図１５】基地局がピア・ツー・ピア雑音の有無をモニタリングして測定するサイレント期間を広域ネットワークが有する様々な実施形態の一特長を示した図である。
【図１６】様々な実施形態の幾つかの特長を示した図であり、図１５の例の続きである。
【図１７】様々な実施形態の一特長を示した制御値に関する典型的ルックアップテーブルの図である。
【図１８】様々な実施形態による基地局、例えばアップリンク帯域幅がピア・ツー・ピアシグナリングに関しても利用される基地局、を動作させる典型的方法の流れ図である。
【図１９】様々な実施形態による基地局、例えばアップリンク帯域幅がピア・ツー・ピアシグナリングに関しても利用される基地局、を動作させる典型的方法の流れ図である。
【図２０】雑音Ｗを縦軸に及び制御係数αを横軸に示した作図である。
【図２１】雑音Ｗを縦軸に及び制御係数αを横軸に示した作図であり、図１５と比較した場合における異なるレベルのその他のセル干渉及び異なる特性曲線を示した図である。
【図２２】様々な実施形態において用いられる電力制御係数αの選択を調整する典型的方法を示した図である。
【図２３】広域ネットワークに関する、例えばセルラー通信に関する、時分割複信（ＴＤＤ）を利用する幾つかの実施形態における典型的な帯域幅の使用を示した図である。
【図２４】広域ネットワークに関する、例えばセルラー通信に関する、周波数分割複信（ＦＤＤ）を利用する幾つかの実施形態における典型的な帯域幅の使用を示した図である。
【図２５】様々な実施形態により実装された典型的多モード無線通信デバイスの図である。
【図２６】様々な実施形態による典型的周波数帯域及び広域ネットワーク通信の使用とピア・ツー・ピア通信の使用との間における共有周波数帯域の使用を示した図である。
【図２７】様々な実施形態による典型的多モード無線通信デバイス動作方法の流れ図及び典型的タイミング構造情報である。
【図２８】様々な実施形態による典型的多モード無線通信デバイス動作方法の流れ図である。
【図２９】様々な実施形態による典型的多モード無線通信デバイス動作方法の流れ図である。
【図３０】様々な実施形態による典型的多モード無線通信デバイス動作方法の流れ図である。
【発明を実施するための形態】
【００１０】
図１は、様々な実施形態による、無線通信端末、例えばピア・ツー・ピア通信をサポートする無線通信端末、を動作させる典型的方法の流れ図１００である。典型的方法は、ステップ１０２において開始し、無線通信端末に電源が投入されて初期設定される。動作は、開始ステップ１０２からステップ１０４に進む。ステップ１０４において、無線通信端末は、アップリンク帯域幅を走査して基地局からの信号、例えば基地局からのビーコン信号、を検出する。様々な実施形態においては、アップリンク帯域幅は、デバイスが基地局に信号を送信するために用いられる一組の周波数、例えばアップリンクトーンブロックを備える一組のＯＦＤＭトーン、を含む。幾つかの実施形態においては、基地局からの走査中の信号は、予め決められたフォーマットを有する。幾つかの実施形態においては、走査中の基地局からの信号は、例えば、基地局によって使用中の反復的タイミング構造に関して、又はピア・ツー・ピア構造に関する予め決められた時間に関して、予め決められた時間に送信される。幾つかの実施形態においては、基地局信号はビーコン信号であり、ビーコン信号は、ＯＦＤＭシンボルにおいて３つ未満のトーンを含む信号である。
【００１１】
動作は、ステップ１０４からステップ１０６に進み、ステップ１０６において、無線通信端末は、検出した基地局からの信号を評価する。幾つかの実施形態においては、基地局からの信号を評価することは、基地局信号の送信パターンを評価することを含む。ステップ１０６は、サブステップ１１０を含む。サブステップ１１０において、無線通信端末は、基地局からの信号の電力レベルを測定する。次に、ステップ１１２において、無線通信端末は、ステップ１０６の評価が予め決められた判定基準を満たすかどうかを決定する。予め決められた判定基準は、例えば、基地局から受信された信号の測定されたレベルが予め決められたしきい値よりも低いことである。予め決められたしきい値は、幾つかの実施形態においては、無線通信デバイスがピア・ツー・ピア信号を送信時に基地局における無線通信デバイスからの予想される許容可能干渉レベルに対応するように選択される。判定基準が満たされる場合は、動作は、ステップ１１２からステップ１１４に進む。判定基準が満たされない場合は、動作は、ステップ１１２からステップ１１６に進む。ステップ１１４において、無線通信端末は、ピア・ツー・ピア信号を送信し、他方、ステップ１１６において、無線通信端末は、ピア・ツー・ピア信号を送信するのを控える。
【００１２】
動作は、ステップ１１４からステップ１１８に進み、ステップ１１８において、無線通信端末は、追加の基地局信号の有無をモニタリングし、次にステップ１２０において、基地局は、最後の追加の基地局信号と前回検出された基地局信号、例えばステップ１０４において検出された信号、との間において検出された電力差が存在するかどうかを確認する。検出された電力差が存在しない場合は、無線通信端末は、ピア・ツー・ピア送信を継続することが許容され、動作は、ステップ１２０からステップ１１８に戻って追加の基地局信号の有無をモニタリングする。しかしながら、電力差が検出された場合は、動作は、ステップ１２０からステップ１２２に進む。
【００１３】
ステップ１２２において、無線通信端末は、無線端末送信電力を前記差の関数として調整する。ステップ１２２は、サブステップ１２４と、１２６と、１２８とを含む。サブステップ１２４において、無線通信端末は、最後の追加の基地局信号の電力レベルが許容可能な範囲内にあるかどうかを検査する。最後の追加の基地局信号の電力レベルが高すぎる場合は、無線通信端末が基地局に近すぎること及び無線通信端末からのピア・ツー・ピア送信が基地局受信機の観点から非常に過度の干渉を引き起こすため該送信は許容されないことを示すことができる。代替として、最後の追加の基地局信号の電力レベルが低すぎる場合は、無線通信デバイスが基地局信号に対応するピア・ツー・ピアサービスの範囲外に移動していること、及び無線通信端末が異なる型のスペクトルの使用に対応する、例えば異なるサービスプロバイダ及び／又は異なる技術に対応する、領域内に所在する可能性があり、従って無線通信端末送信は許容されないことを示すことができる。サブステップ１２４において、最後の追加の基地局信号の電力レベルが許容可能な範囲内にないことが決定された場合は、動作は、サブステップ１２４からサブステップ１２６に進む。その他の場合は、動作は、サブステップ１２４からサブステップ１２８に進む。
【００１４】
サブステップ１２６において、無線通信端末は、自己の送信電力を前記電力差の関数として調整し、ピア・ツー・ピア送信を継続する。ある時においては、送信電力を調整することは、送信電力を前記差の関数として低下させることを含み、その他の時においては、送信電力を前記差の関数として調整することは、送信電力を前記差の関数として増大させることを含む。例えば、無線通信端末が基地局からの信号の測定された電力レベルの上昇を検出した場合は、無線通信は、自己のピア・ツー・ピア送信シグナリング電力レベルを低下させる。代替として、無線通信端末が、基地局からの信号の測定された電力レベルの低下を検出した場合は、無線通信は、ピア・ツー・ピア送信シグナリング電力レベルを上昇させる。さらにその他の時においては、無線通信端末送信電力を前記差の関数として調整することは、送信電力レベルを上限レベルにおいて維持することを含む。動作は、サブステップ１２６からステップ１１８に進み、ステップ１１８において、無線通信端末は、追加の基地局信号の有無をモニタリングする。
【００１５】
サブステップ１２８に戻り、サブステップ１２８において、無線通信端末は、自己の送信電力を調整してゼロにし、ピア・ツー・ピア送信を停止する。動作は、サブステップ１２８からステップ１０４に進み、ステップ１０４において、無線通信端末は、基地局信号の有無を走査する。
【００１６】
図２は、様々な実施形態による、典型的無線端末２３００、例えばピア・ツー・ピア通信をサポートするモバイルノード、の図である。典型的無線端末２３００は、様々な要素がデータ及び情報を交換することができるバス２３１２を介してひとつに結合された受信機モジュール２３０２と、送信機モジュール２３０４と、プロセッサ２３０６、ユーザーＩ／Ｏデバイス２３０８と、メモリ２３１０と、を含む。メモリ２３１０は、ルーチン２３２２と、データ／情報２３２４と、を含む。プロセッサ２３０６、例えばＣＰＵ、は、無線端末２３００の動作を制御し、方法、例えば図１の流れ図１００の方法、を実装するためにメモリ２３１０内のルーチン２３２２を実行し、データ／情報２３２４を用いる。
【００１７】
受信機モジュール２３０２、例えばＯＦＤＭ受信機、は、無線端末が信号を受信する受信アンテナ２３１４に結合される。受信された信号は、ブロードキャスト信号、例えばアップリンクセルラーシグナリングが中断されている予め決められた時間間隔中に、基地局によってアップリンクセルラー通信に関して利用中の周波数帯域内に基地局によって送信されたビーコン信号、を含む。受信された信号は、ピア・ツー・ピア動作モードにおいて動作中のその他の無線端末からのピア・ツー・ピア信号も含み、前記ピア・ツー・ピア信号は、基地局アップリンク周波数帯域を用いて通信され、ピア・ツー・ピア通信の少なくとも一部は、アップリンクセルラー通信がアクティブである間隔中に通信される。受信機モジュール２３０２は、受信されるべき周波数帯域を選択するためのチューナーモジュール２３１６も含む。
【００１８】
送信機モジュール２３０４、例えばＯＦＤＭ送信機、は、無線端末２３００がピア・ツー・ピア信号を送信する送信アンテナ２３１８に結合される。無線送信機モジュール２３０４のピア・ツー・ピア信号送信は、基地局からの検出された信号の評価に応じた送信である。例えば、幾つかの実施形態において、検出された予め決められた基地局信号、例えば、予め決められたフォーマット、例えばＯＦＤＭシンボル内の特定の高電力ＯＦＤＭトーン又はトーンの組、とマッチするビーコン信号、が走査中の可能性のあるセルラーアップリンク帯域幅内に存在することは、アップリンク帯域がピア・ツー・ピア通信の使用に関しても利用可能であることを示す。例を続けると、アップリンク帯域幅における基地局ブロードキャスト信号の受信電力レベルは、幾つかの実施形態においては、最大許容ピア・ツー・ピア送信電力を決定するために無線端末２３００によって用いられる。送信機モジュール２３０４は、幾つかの実施形態においては、基地局によって使用中のアップリンク周波数帯域に設定されるチューナーモジュール２３２０を含む。幾つかの実施形態においては、チューナーモジュール２３２０は、アップリンクセルラー帯域において使用中の周波数の組の一部、ただし必ずしも全体ではない、を用いるために送信機２３０４を同調させるように設定される。例えば、ピア・ツー・ピア通信帯域は、幾つかの実施形態においては、対応するアップリンクセルラー通信帯域の部分組である。送信されたピア・ツー・ピア信号の少なくとも一部は、セルラーアップリンクシグナリングに関して使用中のエアリンク資源と同じエアリンク資源を用いて送信される。幾つかの実施形態においては、受信機モジュール２３０２及び送信機モジュール２３０４の両方に関して同じアンテナが用いられる。幾つかの実施形態においては、両チューナーモジュール（２３１６、２３２０）は、ピア・ツー・ピア通信に関する同じ帯域、例えば同じアップリンクセルラー通信帯域、に設定される。
【００１９】
ユーザーＩ／Ｏデバイス２３０８は、例えば、マイク、キーボード、キーパッド、カメラ、スイッチ、スピーカー、ディスプレイ、等を含む。ユーザーＩ／Ｏデバイス２３０８は、無線端末２３００のユーザーがデータ／情報を入力すること、出力されたデータ／情報にアクセスすること、及び無線端末２３００の少なくとも幾つかの機能、例えばピア・ツー・ピア通信セッションを開始する、を制御することを可能にする。
【００２０】
ルーチン２３２２は、通信ルーチン２３２６と、無線端末制御ルーチン２３２８と、を含む。通信ルーチン２３２６は、無線端末２３００によって用いられる様々な通信プロトコルを実装する。無線端末制御ルーチン２３２８は、無線端末２３００の動作を制御し、方法を実装する。無線端末制御ルーチン２３２８は、走査モジュール２３３０と、信号評価モジュール２３３２と、受信基地局信号電力レベル追跡モジュール２３３４と、電力制御モジュール２３３６と、ピア・ツー・ピアシグナリングモジュール２３３８と、を含む。
【００２１】
データ／情報２３２４は、アップリンク帯域幅データ／情報２３４４と、アップリンク帯域幅内にブロードキャストされる基地局ブロードキャスト信号に対応するフォーマット情報２３５０と、反復的スケジュール情報２３５２と、チューナー設定情報２３５６と、時間ｔ０における受信された基地局信号２３５８と、受信された基地局信号（ｔ０）電力レベル情報２３６０と、時間ｔ１における受信された基地局信号２３６２と、受信された基地局信号（ｔ１）電力レベル情報２３６４と、電力レベル変化情報２３６６と、生成されたピア・ツー・ピア信号２３６８と、ピア・ツー・ピア信号送信電力レベル情報２３７０と、を含む。
【００２２】
アップリンク帯域幅データ／情報２３４４は、一組の周波数を識別する１つ以上の組の情報（第１の組の周波数を識別する情報２３４６、．．．、第Ｎの組の周波数を識別する情報２３４８）を含む。例えば、ＦＤＤを用いるＷＡＮセルラー通信システムの異なる部分において、異なるアップリンクＦＤＤ帯域が利用され、情報２３４６は、第１のアップリンク帯域及び第１の対応するチューナー設定を識別し、他方、情報２３４８は、異なるアップリンク帯域及び異なる対応するチューナー設定を識別する。例えば、第１の組の周波数を識別する情報２３４６は、アップリンクＦＤＤセルラー通信帯域として用いられさらにピア・ツー・ピア通信に関しても利用される一組の隣接するＯＦＤＭトーンを識別する情報を含む。
【００２３】
アップリンク帯域幅内にブロードキャストされる基地局ブロードキャスト信号に対応するフォーマット情報２３５０は、該基地局ブロードキャスト信号の特性を示して識別するために用いられる情報を含む。例えば、幾つかの実施形態においては、基地局によってアップリンク帯域幅内に送信された特定のビーコン信号は、ＯＦＤＭシンボルの小規模な組の、例えば１乃至３の、ＯＦＤＭトーンに等量のエネルギーを乗せ、相対的に高い電力レベルで信号を送信する。フォーマット情報２３５０は、例えば、ビーコン信号に対応するトーンの組を識別する情報を含む。
【００２４】
反復的スケジュール情報２３５２は、反復的セルラーアップリンク及びダウンリンクスケジュール情報と、ピア・ツー・ピア反復的スケジュール情報と、を含む。反復的スケジュール情報２３５２は、基地局がアップリンク帯域幅内にブロードキャストする予め決められた時間を識別する情報２３５４を含む。例えば、情報２３５４は、走査モジュール２３３０がブロードキャスト信号を基地局からいつ受信すると予想すべきかを識別する情報を含む。
【００２５】
チューナー設定情報２３５６は、チューナーモジュール２３１６及び２３２０の設定を識別する情報を含む。幾つかの実施形態においては、走査中のアップリンク帯域において検出されている基地局ブロードキャスト信号に応じて、無線端末２３００は、ピア・ツー・ピア通信の使用に関しても利用可能であるアップリンクセルラー帯域を識別し、チューナーモジュール２３２０は、チューナーモジュール２３１６が現在設定されているのと同じ設定に設定される。
【００２６】
時間ｔ０における受信された基地局信号２３５８及び時間ｔ１における受信された基地局信号２３６２は、異なる時間に走査モジュール２３３０によって検出されたブロードキャスト信号に対応する。受信された基地局ブロードキャスト信号２３５８、２３６２は、信号評価モジュール２３３２によって評価され、電力測定モジュール２３４２は受信された基地局信号ｔ（０）電力レベル２３６０、受信された基地局信号ｔ（１）電力レベル２３６４をそれぞれ入手する。電力レベル変化情報２３６６は、受信基地局信号電力レベル追跡モジュール２３３４の出力であり、ピア・ツー・ピア信号の送信電力レベルを制御するために電力制御モジュール２３３６によって入力として用いられる。
【００２７】
走査モジュール２３３０は、アップリンク帯域幅を走査して基地局からの信号を検出する。例えば、走査モジュール２３３０は、基地局アップリンク帯域幅、例えばセルラー通信に関するＦＤＤ帯域である基地局アップリンク帯域幅、を走査し、基地局によってアップリンク帯域幅内に送信されたブロードキャスト信号、例えばビーコン信号、の存在を探索して検出する。幾つかの実施形態においては、走査モジュール２３３０が走査中のアップリンク帯域幅内において基地局ブロードキャスト信号の存在を検出できない場合は、走査モジュール２３３０は、代替の可能性のあるアップリンク帯域に切り換えて走査する。様々な実施形態においては、走査モジュールは、基地局からの第１のブロードキャスト信号の存在を検出後に及びピア・ツー・ピア信号を送信後に追加の基地局信号の有無のモニタリングを継続する。
【００２８】
信号評価モジュール２３３２は、基地局からの検出された信号を評価する。信号評価モジュール２３３２は、送信パターン評価モジュール２３４０と、電力測定モジュール２３４２と、を含む。送信パターン評価モジュール２３４０は、基地局信号の送信パターンを評価する。例えば、送信パターン評価モジュール２３４０は、検出されたパターン、例えば高い相対的電力レベルを有する受信されたＯＦＤＭシンボル内の一組の検出されたトーン、を、予想される信号の特性を示す格納情報とマッチさせることを試みる。幾つかの実施形態においては、パターンは、予め決められたパターンに従って変化する、例えば経時でホップする、一連のトーン組を含む。電力測定モジュール２３４２は、基地局からの信号の電力レベル、例えばアップリンク帯域において送信されている基地局からのビーコン信号の電力レベル、を測定する。幾つかの実施形態においては、ビーコン信号は、ＯＦＤＭシンボル内において３つ未満のトーンを含む信号である。様々な実施形態においては、無線端末は、基地局からの追加の検出された信号の評価を継続する、例えば追加の受信されたブロードキャスト信号の電力レベルを測定する。
【００２９】
受信基地局信号電力レベル追跡モジュール２３３４は、基地局からの検出されたブロードキャスト信号の受信された電力レベルの変化を計算する。電力制御モジュール２３３６は、無線端末２３００によって送信されたピア・ツー・ピア信号の送信電力レベルを受信基地局ブロードキャスト信号電力レベル測定情報及び／又は受信基地局ブロードキャスト信号電力レベル情報の変化の関数として制御する。例えば、電力制御モジュール２３３６は、連続する受信された基地局ブロードキャスト信号の受信された電力間の差を検出することに応じてピア・ツー・ピア送信電力を調整する。時々、電力制御モジュール２３３６は、ピア・ツー・ピア送信電力を低下させ、前記低下は、基地局シグナリングの継続的モニタリングに応じて行われる。  
ピア・ツー・ピアシグナリングモジュール２３３８は、ピア・ツー・ピア信号２３６８を生成し、送信機モジュール２３０４がピア・ツー・ピア信号送信電力レベル２３７０に従った電力レベルで該信号を送信するように制御する。ピア・ツー・ピア送信電力レベルは、電力制御モジュール２３３６の出力である。
【００３０】
図３は、様々な実施形態による、典型的基地局動作方法の流れ図２００である。動作は、ステップ２０２において開始し、基地局に電源が投入されて初期設定され、ステップ２０４に進む。
【００３１】
ステップ２０４において、基地局は、第１の期間中に、アップリンク周波数帯域において前記基地局に送信中のセルラー通信デバイスからアップリンク信号を受信する。動作は、ステップ２０４からステップ２０６に進む。
【００３２】
ステップ２０６において、基地局は、第２の期間中に送信する。ステップ２０６は、並行して実行することができ時々並行して実行されるサブステップ２０８と、２１０と、を含む。サブステップ２０８において、基地局は、前記第１の周波数帯域と異なる第２の周波数帯域を用いて前記セルラー通信デバイスの少なくとも一部に送信し、前記第２の周波数帯域は、ダウンリンク周波数帯域である。サブステップ２１０において、基地局は、前記アップリンク周波数帯域においてブロードキャスト信号を送信する。幾つかの実施形態においては、前記アップリンク周波数帯域内に送信されたブロードキャスト信号は、ビーコン信号、例えば、ＯＦＤＭシンボル内に３つ未満のＯＦＤＭトーンを含むＯＦＤＭビーコン信号、である。幾つかの実施形態においては、前記アップリンク周波数帯域内に送信されたブロードキャスト信号は、電力送信レベル制御信号である。
【００３３】
幾つかの実施形態においては、セルラー通信デバイスからのアップリンク信号は、前記アップリンク周波数帯域内に送信されて前記アップリンク信号と干渉するピア・ツー・ピア通信信号が存在する状態で第１の期間中に受信される。従って、アップリンク周波数帯域は、ピア・ツー・ピアシグナリングに関しても並行して利用される。
【００３４】
図４は、様々な実施形態による典型的基地局２４００の図である。典型的基地局２４００は、例えばＷＡＮセルラー通信システムの一部であり、ＦＤＤアップリンク帯域及びＦＤＤダウンリンク周波数帯域を用いる。例を続けると、基地局２４００は、ピア・ツー・ピア通信をサポートするためにブロードキャスト信号、例えばビーコン信号、もアップリンク通信帯域内に送信する。幾つかの実施形態においては、基地局の実装された反復的タイミング構造は、基地局２４００がアップリンク通信帯域内にブロードキャスト信号を送信する予め決められた間隔中にセルラー通信デバイスからのアップリンクシグナリングを意図的に中断させる。幾つかの該実施形態においては、アップリンク帯域内への基地局向けアップリンク無線端末セルラーシグナリングに割り当てられた時間に関する、アップリンク帯域内への基地局２４００ブロードキャスト信号に割り当てられた相対的時間は、２％以下である。様々な実施形態においては、アップリンク通信帯域は、セルラーアップリンク通信と同時並行してピア・ツー・ピアシグナリングに関して利用されることが許容される。幾つかの該実施形態においては、基地局２４００は、ピア・ツー・ピアデバイスからの干渉を管理し、干渉管理は、アップリンク通信帯域内に送信されたブロードキャスト信号の送信電力レベルを変動させることを含む。ブロードキャスト信号を受信中のピア・ツー・ピアデバイスは、自己の送信電力レベルを、アップリンク通信帯域内への基地局ブロードキャスト信号の受信された電力レベルの関数として制御する。
【００３５】
基地局２４００は、様々な要素がデータ及び情報を交換するバス２４１２を介してひとつに結合された受信機モジュール２４０２と、送信機モジュール２４０４と、プロセッサ２４０６と、Ｉ／Ｏインタフェース２４０８と、メモリ２４１０と、を含む。メモリ２４１０は、ルーチン２４１８と、データ／情報２４２０と、を含む。プロセッサ２４０６、例えばＣＰＵ、は、基地局の動作を制御し、方法、例えば図３の流れ図２００の方法、を実装するためにメモリ２４１０内のルーチン２４１８を実行し、データ／情報２４２０を用いる。
【００３６】
受信機モジュール２４０２、例えばＯＦＤＭ受信機、は、受信アンテナ２４１４に結合され、受信アンテナ２４１４を介して、基地局２４００は、アップリンク周波数帯域において基地局２４００に送信中のセルラー通信デバイスからアップリンク信号を第１の期間中に受信する。セルラー通信デバイスからのアップリンク信号は、アップリンク周波数帯域において送信されてアップリンク信号と干渉するピア・ツー・ピア通信信号が存在する状態で第１の期間中に受信される。
【００３７】
送信機モジュール２４０４、例えばＯＦＤＭ送信機、は、送信アンテナ２４１６に結合され、送信アンテナ２４１６を介して、基地局２４００は、ダウンリンク周波数帯域を用いてセルラー通信デバイスの少なくとも一部に送信し、前記アップリンク周波数帯域において第２の期間中にブロードキャスト信号を送信し、前記ダウンリンク周波数帯域は、前記アップリンク周波数帯域と異なり、前記第１の期間及び前記第２の期間は、重なり合わない。セルラー通信デバイス向けであるダウンリンク信号は、例えば、ダウンリンク帯域ビーコン信号と、割り当て信号と、ページング信号と、トラフィック信号と、を含む。幾つかの実施形態においては、送信機モジュール２４０４は、第１の送信機サブモジュール２４０５と、第２の送信機サブモジュール２４０７と、を含む。例えば、第１の送信機サブモジュール２４０５は、ダウンリンクセルラーシグナリングに関して用いられ、第２の送信機サブモジュール２４０７は、ビーコン信号等のブロードキャスト信号をアップリンク周波数帯域内に送信するために用いられる。
【００３８】
個々の第１及び第２の送信機サブモジュール２４０５、２５０７を用いる実装の一利点は、第１の送信機サブモジュール２４０５が、ダウンリンクＦＤＤ帯域において送信するように設定することができ、ピア・ツー・ピアサポートに関して用いられるブロードキャスト信号が通信されるＵＬ  ＴＤＤ帯域に対処する必要がないことである。例えば、受信機モジュール２４０２及び第２の送信機サブモジュール２４０７は、同じＵＬ  ＦＤＤ帯域に同調させることができ、第１の送信機モジュール２４０５は、ＤＬ  ＦＤＤＤ帯域に同調させることができ、ダウンリンクセルラー通信は、中断されない形で継続することができる。この手法の他の利点は、第２の送信機サブモジュール２４０７を基地局内に挿入し、さらにセルラー通信をサポートする既存の基地局が、例えばアップリンク周波数帯域内への基地局シグナリングの短い間隔中にアップリンクセルラー通信を中断するようにアップリンクタイミング構造を変更するための幾つかのソフトウェア修正を行うことによって、同じアップリンクＦＤＤ帯域を利用するピア・ツー・ピア通信をサポートするように適合化できることである。
【００３９】
Ｉ／Ｏインタフェース２４０８は、その他のネットワークノード、例えばその他の基地局、ＡＡＡノード、ホームエージェントノード、及び／又はインターネット、に基地局２４００を結合する。Ｉ／Ｏインタフェース２４０８は、基地局２４００をバックホールネットワークに結合することによって、基地局２４００をネットワークアタッチメントポイントとして用いるセルラー通信デバイスが異なる基地局をネットワークアタッチメントポイントとして用いる他のセルラー通信デバイスとの通信セッションに参加するのを許容する。
【００４０】
ルーチン２４１８は、通信ルーチン２４２２と、ブロードキャスト信号、例えばビーコン信号、と、生成モジュール２４２４と、ピア・ツー・ピア干渉管理モジュール２４２６と、セルラーダウンリンクモジュール２４２８と、セルラーアップリンクモジュール２４３０と、を含む。通信ルーチン２４２２は、基地局２４００によって用いられる様々な通信プロトコルを実装する。ブロードキャスト信号生成モジュール２４２４は、セルラー通信デバイス及びピア・ツー・ピア通信デバイスによって用いられるブロードキャスト信号を生成する。幾つか実施形態においては、モジュール２４２４によって生成されたダウンリンク帯域ブロードキャスト信号、例えばダウンリンク帯域ビーコン信号、の少なくとも一部は、基地局識別情報、例えば、セル、セクター、及び／又はアタッチメントポイント情報、を搬送する。幾つかの実施形態においては、モジュール２４２４によって生成されたアップリンク帯域ブロードキャスト信号、例えばアップリンク帯域ビーコン信号、の少なくとも一部は、送信電力レベル制御信号、例えばピア・ツー・ピアデバイスの最大送信電力レベルを制御するために用いられる信号、である。
【００４１】
幾つかの実施形態においては、ブロードキャスト信号生成モジュール２４２４は、アップリンク周波数帯域内に送信されるビーコン信号を生成するためのアップリンク帯域ビーコン信号生成モジュール２４３２と、ダウンリンク周波数帯域内に送信されるビーコン信号を生成するためのダウンリンク帯域ビーコン信号生成モジュール２４３４と、を含む。様々な実施形態においては、アップリンク帯域ビーコン信号生成モジュール２４３２は、アップリンク帯域内へのビーコン信号の送信電力レベルをピア・ツー・ピア干渉管理モジュール２４２６から受信された情報の関数として設定するための電力レベルモジュール２４３６を含む。幾つかの実施形態においては、ダウンリンク帯域ビーコン信号生成モジュール２４３４は、基地局識別情報をダウンリンク帯域ビーコン信号内に組み込むための基地局識別モジュール２４３８を含む。幾つかの実施形態においては、基地局アタッチメントポイントに対応する生成されたダウンリンク帯域ビーコン信号は、同じ送信電力レベルで送信され、他方、生成されたアップリンク帯域ビーコン信号の送信電力レベルは、例えば基地局受信機２４０２によるセルラー通信アップリンク信号の受信に関する干渉を引き起こしているピア・ツー・ピアシグナリングの管理の一環として、異なる時点に異なる電力レベルで送信される。
【００４２】
ピア・ツー・ピア干渉管理モジュール２４２６は、アップリンク周波数帯域内に送信されるブロードキャスト信号、例えばビーコン信号、に関する電力レベルを設定することを含む動作によって受信機モジュール２４０２において経験中のピア・ツー・ピアシグナリング干渉レベルを管理する。幾つかの実施形態においては、ピア・ツー・ピア干渉管理モジュール２４２６は、ピア・ツー・ピアシグナリングからの干渉レベルを低下させるのを望むときにはアップリンク帯域内への送信されたブロードキャスト信号の電力レベルを上昇させることを決定し、ピア・ツー・ピアシグナリングからの上昇された干渉レベルを低下させるのを望むときにはアップリンク帯域内への送信されたブロードキャスト信号の電力レベルを低下させる。
【００４３】
セルラーダウンリンクモジュール２４２８は、セルラーデバイス２４５０向けのダウンリンク信号の生成及び送信を制御する。セルラーアップリンクモジュール２４３０は、セルラー通信デバイスからのアップリンク信号の受信及びこれらの信号からの情報の復元を制御し、セルラーデバイス２４４８からの受信されたアップリンク信号を入手する。
【００４４】
データ／情報２４２０は、時間／周波数構造情報２４４０と、ブロードキャスト信号フォーマット情報２４４２と、アップリンク帯域内に送信される生成されたブロードキャスト信号２４４４と、ダウンリンク帯域２４４６内に送信される生成されたブロードキャスト信号２４４６と、セルラーデバイスからの受信されたアップリンク信号２４４８と、セルラーデバイス向けのダウンリンク信号２４５０と、を含む。時間／周波数構造情報２４４０は、反復的時間構造情報２５４２と、アップリンク周波数帯域情報２４５４と、ダウンリンク周波数帯域情報２４５６と、を含む。反復的時間構造情報２４５２は、アップリンク信号に関する時間間隔を識別する情報２４５８と、アップリンク帯域内への基地局ブロードキャスト信号に関して用いられる時間間隔を識別する情報２４６０と、を含む。アップリンク信号に関する時間間隔を識別する情報２４５８は、例えば、アクセス間隔を識別する情報と、アップリンク制御シグナリング及びアップリンクトラフィックシグナリングのうちの少なくとも１つに関して用いられる間隔を識別する情報と、を含む。アップリンク帯域内への基地局ブロードキャスト信号に関する時間間隔を識別する情報２４６０は、基地局によるアップリンク帯域内へのブロードキャスト信号、例えばビーコン信号、の送信に関して用いられて通常のアップリンクセルラー通信シグナリングが中断される間隔を識別する。従って、アップリンク周波数帯域内への基地局ブロードキャスト信号、例えばビーコン信号、は、基地局２４００に向けられたセルラーアップリンク信号によって干渉されず、ピア・ツー・ピア通信デバイスによるブロードキャスト信号の復元を容易にする。幾つかの実施形態においては、アップリンク帯域内への基地局ブロードキャスト及びアップリンク帯域内へのセルラーアップリンクシグナリングに対する時間の割り当ての比は、２％以下である。
【００４５】
アップリンク周波数帯域情報２４５４は、基地局２４００によってセルラーアップリンクＦＤＤ帯域として用いられる一組の周波数、例えば一組の隣接するＯＦＤＭトーン、を識別する情報と、帯域に対応する搬送波周波数情報と、を含む。アップリンク周波数帯域は、アップリンクセルラー通信と同じエアリンク資源を用いる少なくとも幾つかのピア・ツー・ピア通信とともにピア・ツー・ピア通信帯域としても利用されるべきである。基地局２４００は、アップリンク通信帯域内へもブロードキャスト信号を送信する。ダウンリンク周波数帯域情報２４５６は、基地局２４００によってセルラーダウンリンクＦＤＤ帯域として用いられる一組の周波数、例えば一組の隣接するＯＦＤＭトーン、を識別する情報と、帯域に対応する搬送波周波数情報と、を含む。
【００４６】
ブロードキャスト信号フォーマット情報２４４２、例えばアップリンク周波数帯域内に送信されるビーコン信号のフォーマットを識別する情報、は、例えば、ビーコン信号を表すために用いられる一組のトーン、例えば１乃至３のトーン、を識別する情報を含む。幾つかの実施形態においては、ビーコン信号に対応する一組のトーンは、予め決められたホッピングシーケンスに従って経時でホップされ、該情報も情報２４４２内に含められる。
【００４７】
アップリンク帯域に関する生成されたブロードキャスト信号２４４４、例えばビーコン信号、は、ブロードキャスト信号生成モジュール２４２４の出力である。幾つかの実施形態においては、情報２４４４は、アップリンク帯域ビーコン信号生成モジュール２４３２の出力である。ダウンリンク帯域に関する生成されたブロードキャスト信号２４４４、例えばビーコン信号、は、ブロードキャスト信号生成モジュール２４２４の出力である。幾つかの実施形態に関しては、情報２４４６は、ダウンリンク帯域ビーコン信号生成モジュール２４３４の出力である。
【００４８】
図５は、様々な実施形態によるピア・ツー・ピアシグナリングをサポートする無線通信デバイスを動作させる典型的方法の流れ図７００である。動作は、ステップ７０２において開始し、無線通信デバイスに電源が投入されて初期設定され、ステップ７０４に進み、無線通信デバイスが第１の信号を基地局から受信する。幾つかの実施形態においては、第１の信号は、アップリンク信号を基地局に送信するために用いられるアップリンク周波数帯域において受信される。幾つかの実施形態においては、第１の信号は、前記基地局によって用いられるダウンリンク周波数帯域である周波数帯域において受信され、ピア・ツー・ピア信号は他の周波数帯域において送信される。該実施形態においては、ピア・ツー・ピアシグナリングに関して用いられる他の周波数帯域は、アップリンク信号を基地局に送信するために用いられるアップリンク周波数帯域であることができ、時々該アップリンク周波数帯域である。基地局から第１の信号を搬送するためにアップリンク周波数帯域を用いる手法は、ピア・ツー・ピア無線通信デバイスがピア・ツー・ピア信号に関して用いられるのと同じ周波数帯域にとどまることができその一方で基地局からの第１の信号の有無をモニタリングできるという利点を有する。このことは、ピア・ツー・ピア無線通信デバイスに関する単純な設計及び／又は低コストの実装を容易にする。しかしながら、基地局が以前に送信に関して用いなかった帯域内に今度は送信するため、基地局においてさらなる複雑さが存在する。
【００４９】
代替として、第１の信号を搬送するために基地局のダウンリンク帯域を用いる手法は、基地局の観点からはより容易である。しかしながら、ピア・ツー・ピア無線通信デバイスは、例えば複数の受信機が関わる２つの帯域をモニタリングする必要があることに起因するさらなる複雑さとコスト及び／又は帯域間の切り換えに関わる複雑さを要求する。
【００５０】
動作は、ステップ７０４からステップ７０６に進む。ステップ７０６において、無線通信デバイスは、受信された信号に関する測定、例えば信号電力測定、を行う。動作は、ステップ７０８及び７２２のうちの１つ以上に進む。幾つかの実施形態においては、無線通信デバイスは、例えばセルラーネットワークの一部として、ピア・ツー・ピアシグナリングをサポートするが、基地局へのアップリンクシグナリングはサポートせず、該実施形態においては、ステップ７２２はオプションではない。幾つかの実施形態においては、無線通信デバイスは、いずれの所定の時間においてもピア・ツー・ピアモード及びセルラー動作モードのうちの１つをサポートし、所定の時間に関して、動作はステップ７０８及びステップ７２２のうちの１つに進むことができる。幾つかの実施形態においては、無線通信デバイスは、同時並行のピア・ツー・ピアシグナリング及びセルラーシグナリングをサポートし、動作は、ステップ７０６からステップ７０８及びステップ７２２に進むことができる。
【００５１】
動作は、ピア・ツー・ピアシグナリングに関してはステップ７０６からステップ７０８に進み、他方、動作は、基地局へのアップリンク信号に関してはステップ７０６からステップ７２２に進む。ステップ７０８においては、無線通信デバイスは、少なくとも幾つかのピア・ツー・ピア信号送信に関するピア・ツー・ピア送信電力を第１の信号の測定結果の関数として制御する。ステップ７０８は、サブステップ７１０と、７１２と、を含む。サブステップ７１０において、無線通信デバイスは、第１の関数を用いて最大の送信が許容されたピア・ツー・ピア送信電力レベルを決定し、第１の関数は、ピア・ツー・ピア送信電力を、第１の受信信号電力レベルよりも高い第２の受信信号電力レベルに関してよりも第１の受信信号電力レベルに関してのほうがより低いレベルになるように制限する。次に、サブステップ７１２において、無線通信デバイスは、実際のピア・ツー・ピア送信電力レベルを、決定された最大ピア・ツー・ピア送信電力レベル及び第２のピア・ツー・ピア通信デバイスから受信されたピア・ツー・ピア信号の関数として決定する。第２のピア・ツー・ピア通信デバイスは、例えば、流れ図７００の動作を実行する通信デバイスがピア・ツー・ピア通信セッションを有している相手のピアデバイスである。従って、ピア・ツー・ピア送信電力レベルは、幾つかの実施形態においては、受信された基地局信号及びピア・ツー・ピア信号の両方による影響を受ける。ピア・ツー・ピア信号は、幾つかの実施形態においては、通信する及び／又はピア・ツー・ピアチャネル状態情報、ピア・ツー・ピアデータレート情報、ピア・ツー・ピアデータバックログ情報、ピア・ツー・ピアレーテンシー情報、雑音情報、誤り率情報、サービスレベル情報及びピア・ツー・ピア電力制御情報のうちの少なくとも１つを導き出すために用いられる。幾つかの実施形態においては、実際のピア・ツー・ピア送信電力は、決定された最大ピア・ツー・ピア送信電力レベル以下に制限される。幾つかの実施形態においては、少なくとも幾つかの状態、例えば優先度が高いユーザー又は一定のサービスレベル、に関して、実際のピア・ツー・ピア送信レベルは、受信された基地局信号に基づく決定された最大ピア・ツー・ピア送信電力レベルを時々超える、例えばオーバーライドする、ことができる。動作は、ステップ７０８からステップ７１４に進む。
【００５２】
ステップ７１４において、無線通信デバイスは、前記第１の信号が受信された時間と異なる時間に第２の信号を基地局から受信する。次に、ステップ７１６において、無線通信デバイスは、受信された第２の信号の測定、例えば受信された第２の信号の電力測定、を行う。動作は、ステップ７１６からステップ７１８に進み、ステップ７１８において、無線通信デバイスは、第２の受信された信号の測定された電力から、無線通信デバイスがピア・ツー・ピア通信信号を送信するのを控えるべきであることを決定する。動作は、ステップ７１８からステップ７２０に進む。ステップ７２０において、無線通信デバイスは、通信デバイスがピア・ツー・ピア通信信号を送信するのを控えるべきであることを決定後は、無線通信デバイスがピア・ツー・ピア信号を送信するのを許可されることを基地局からの他の信号の電力を測定することから決定するまでピア・ツー・ピア通信信号を送信するのを控える。
【００５３】
ステップ７２２に戻り、ステップ７２２において、無線通信デバイスは、送信された信号の送信電力を、少なくとも幾つかのピア・ツー・ピア信号送信に関して用いられる前記ピア・ツー・ピア送信電力レベルよりも大きい送信電力レベルに制御する。ステップ７２２は、サブステップ７２４を含む。サブステップ７２４において、無線通信デバイスは、前記基地局への送信電力を制御時に第２の関数を使用し、受信された第１の信号の測定された電力に基づいて前記基地局に送信された前記信号の送信電力を決定し、前記第２の関数は、前記第１の関数と異なる。幾つかの実施形態においては、ピア・ツー・ピア送信信号電力レベルは、基地局に送信された前記信号の送信電力レベルよりも少なくとも１０ｄＢ低い。
【００５４】
図６は、様々な実施形態による典型的無線通信デバイス２９００、例えばピア・ツー・ピア通信をサポートするモバイルノード等の無線端末、の図である。典型的通信デバイス２９００は、ピア・ツー・ピア通信を行うＷＡＮアップリンク帯域を用いることができ、時々用いる。典型的無線通信デバイス２９００は、基地局のアップリンク帯域内にピア・ツー・ピア信号を送信することが許可されるかどうかを決定する際に利用する基地局からの信号及び／又はピア・ツー・ピア送信電力レベル情報、例えば最大ピア・ツー・ピア送信電力レベル、を受信する。
【００５５】
無線通信デバイス２９００は、様々な要素がデータ及び情報を交換するバス２９１２を介してひとつに結合された受信機モジュール２９０２と、送信機モジュール２９０４と、ユーザーＩ／Ｏデバイス２９０８と、プロセッサ２９０６と、メモリ２９１０と、を含む。メモリ２９１０は、ルーチン２９１８と、データ／情報２９２０と、を含む。
【００５６】
プロセッサ２９０６、例えばＣＰＵ、は、無線通信デバイス２９００の動作を制御し、方法を実装するためにメモリ２９１０内のルーチン２９１８を実行し、データ／情報２９２０を用いる。
【００５７】
受信機モジュール２９０２、例えばＯＦＤＭ受信機、は、無線通信デバイス２９００が基地局から信号を受信する受信アンテナ２９１４に結合され、前記受信された信号は、ピア・ツー・ピア送信電力レベル情報を決定する際に用いられる。受信機モジュール２９０２は、ピア・ツー・ピア通信信号も受信する。幾つかの実施形態においては、幾つかの時間中に、受信機モジュール２９０２は、無線通信デバイスが広域ネットワークにおけるアタッチメントポイントとして使用中の基地局から、ダウンリンク信号、例えば割り当て信号及びトラフィック信号、を受信し、通信デバイス２９００は、セルラー通信デバイスとして機能する。
【００５８】
送信機モジュール２９０４、例えばＯＦＤＭ送信機、は、無線通信デバイス２９００がその他の無線通信デバイスにピア・ツー・ピア信号を送信する送信アンテナ２９１６に結合される。幾つかの実施形態においては、幾つかの時間間隔中に、送信機モジュール２９０４は、アップリンク信号を基地局に送信し、無線通信デバイスは、ＷＡＮ動作モード、例えばセルラー動作モード、において機能する。
【００５９】
ユーザーＩ／Ｏデバイス２９０８は、例えば、マイク、キーボード、キーパッド、カメラ、スイッチ、スピーカー、ディスプレイ、等を含む。ユーザーＩ／Ｏデバイス２９０８は、無線通信デバイス２９００のユーザーが、データ／情報を入力すること、出力されたデータ／情報にアクセスすること、及び無線通信デバイス２９００の少なくとも幾つかの機能、例えばピア・ツー・ピア通信セッションを開始するのを試みる、を制御することを可能にする。
【００６０】
ルーチン２９１８は、通信ルーチン２９２２と、無線端末制御ルーチン２９２４と、を含む。通信ルーチン２９２２は、無線通信デバイス２９００によって用いられる様々な通信プロトコルを実装する。無線端末制御ルーチン２９２４は、測定モジュール２９２６と、認可モジュール２９４０と、ピア・ツー・ピア送信制御モジュール２９４１と、ピア・ツー・ピア送信電力制御モジュール２９２８と、を含む。幾つかの実施形態、例えば、ピア・ツー・ピア通信及びＷＡＮ通信、例えばセルラー通信、の両方をサポートする実施形態、においては、無線端末制御ルーチン２９２４は、広域ネットワーク送信電力制御モジュール２９３６を含む。
【００６１】
測定モジュール２９２６は、基地局からの受信された信号に関する測定を行う。信号（２９４２、２９４４）は、測定モジュール２９２６への入力を表し、情報（２９４６、２９４８）は、測定モジュール２９２６の出力を表す。様々な実施形態においては、測定モジュール２９２６の測定は、信号電力測定である。
【００６２】
認可モジュール２９４０は、受信された基地局信号の測定された電力から、無線通信デバイス２９００がピア・ツー・ピア信号を送信するのを控えるべきであることを決定することができ、時々決定する。認可モジュール２９４０は、受信された基地局信号の測定された電力から、無線通信デバイス２９００がピア・ツー・ピア信号を送信するのを許可されることを決定することができ、時々決定する。ピア・ツー・ピア送信認可状態２９５０は、認可モジュール２９４０の出力であり、ピア・ツー・ピア送信制御モジュール２９４１によって入力として用いられる。
【００６３】
ピア・ツー・ピア送信制御モジュール２９４１は、通信デバイス２９００がピア・ツー・ピア信号を送信するのを控えるべきであることを決定後は、無線通信デバイス２９００がピア・ツー・ピア信号を送信するのを許可されることを決定するまでピア・ツー・ピア通信信号を送信するのを控えるように無線送信機モジュール２９０４を制御する。従って、ピア・ツー・ピア送信制御モジュール２９４１は、ピア・ツー・ピア送信認可状態２９５０を使用し、ピア・ツー・ピア送信イネーブル／ディスエーブルコントローラとして機能する。
【００６４】
ピア・ツー・ピア送信電力制御モジュール２９２８は、少なくとも幾つかのピア・ツー・ピア送信に関するピア・ツー・ピア送信電力を受信された基地局信号の測定結果の関数として制御する。ピア・ツー・ピア送信電力制御モジュール２９２８は、最大ピア・ツー・ピア送信電力レベル決定サブモジュール２９３０と、実ピア・ツー・ピア送信電力レベル決定サブモジュール２９３２と、第１の関数２９３４と、を含む。ピア・ツー・ピア送信電力制御モジュール２９２８は、ピア・ツー・ピア送信電力を、第１の受信信号電力レベルよりも高い第２の受信信号電力レベルに関してよりも第１の受信信号電力レベルに関してのほうがより低いレベルになるように制限する第１の関数２９３４を用いる。様々な実施形態においては、ピア・ツー・ピア電力制御モジュール２９２８は、より高い測定された受信信号電力レベルに応じてピア・ツー・ピア送信電力をより低いレベルに制限する。
【００６５】
最大ピア・ツー・ピア送信電力レベルサブモジュール２９３０は、第１の関数２９３４を用いて最大ピア・ツー・ピア送信電力レベルを決定する。実ピア・ツー・ピア送信電力レベルサブモジュール２９３２は、実際のピア・ツー・ピア信号送信電力レベルを前記最大ピア・ツー・ピア送信電力レベル及び第２のピア・ツー・ピア通信デバイスから受信されたピア・ツー・ピア信号の関数として決定する。様々な実施形態においては、サブモジュール２９３２は、実際の決定されたピア・ツー・ピア送信電力レベルを最大ピア・ツー・ピア送信電力レベル以下になるように制御する。
【００６６】
広域ネットワーク送信電力制御モジュール２９３６は、基地局に送信された信号の送信電力を、少なくとも幾つかのピア・ツー・ピア信号送信に関して用いられる前記ピア・ツー・ピア送信電力レベルよりも高い送信電力レベルに制御する。ＷＡＮ送信電力制御モジュール２９３６は、第１の関数２９３４と異なる第２の関数２９３８を含む。広域ネットワーク送信電力制御モジュール２９３６による、前記基地局に送信された信号の送信電力の制御は、第１の関数２９３４と異なる第２の関数２９３８を用いて、基地局からの信号の測定された受信された電力レベルに基づいて基地局に送信された信号の送信電力レベルを決定することを含む。
【００６７】
例えば、受信された基地局信号Ｎ２９４４は、測定モジュール２９２６によって測定され、ピア・ツー・ピア送信電力制御モジュール２９２８及びＷＡＮ送信電力制御モジュール２９３６の両方に入力される信号Ｎ測定情報２９４８を入手する。ピア・ツー・ピアモジュール２９２８は、第１の関数２９３４を用いて入力２８４８を処理し、決定された最大ピア・ツー・ピア送信電力レベル２９５２を入手し、他方、ＷＡＮモジュール２９３６は、第２の関数２９３８を用いて同じ入力２９４８を処理し、決定された最大ピア・ツー・ピア送信電力レベル２９５２よりも高いレベルである決定された最大ＷＡＮ送信電力レベル２９５６を入手する。
【００６８】
様々な実施形態においては、ピア・ツー・ピア送信信号電力レベルは、基地局に送信された信号の送信電力レベルよりも少なくとも１０ｄＢ低い。例えば、決定された最大ピア・ツー・ピア送信電力レベル２９５２は、測定された基地局信号の同じ値に関する決定された最大ＷＡＮ送信電力レベル２９５６よりも少なくとも１０ｄＢ低い。他の例として、幾つかの実施形態においては、無線端末がある位置に所在し、同じ受信された基地局信号の測定に基づいた決定されたピア・ツー・ピア送信電力レベル情報及びＷＡＮ送信電力レベル情報を有する場合は、決定された実際のピア・ツー・ピア送信電力レベル２９５４は、決定された実際のＷＡＮ送信電力レベル２９５８よりも少なくとも１０ｄＢ低い。
【００６９】
データ／情報２９２０は、送信電力レベル情報を決定する際に測定及び利用される基地局からの複数の受信信号（受信された基地局信号１  ２９４２、．．．、受信された基地局信号Ｎ２９４４）と、複数の対応する信号測定情報（信号１測定情報２９４６、．．．、信号Ｎ測定情報２９４８）と、をそれぞれ含む。データ／情報２９２０は、無線通信デバイス２９００がピア・ツー・ピア信号を送信することを現在許容されているかどうかを示すピア・ツー・ピア送信認可状態情報２９５０も含む。データ／情報２９２０は、サブモジュール２９３０の出力である決定された最大ピア・ツー・ピア送信電力レベル２９５２と、サブモジュール２９３２の出力である決定された実際のピア・ツー・ピア送信電力レベル２９５４と、も含む。
【００７０】
タイミング／周波数構造情報２９６０は、データ／情報２９２０の一部として含められ、アップリンク周波数帯域情報２９６２、例えば、ＷＡＮアップリンク帯域幅情報、ＷＡＮアップリンク搬送波情報及びアップリンクＷＡＮトーン組情報、と、ダウンリンク周波数帯域情報２９６４、例えば、ＷＡＮダウンリンク帯域幅情報、ＷＡＮダウンリンク搬送波情報及びダウンリンクＷＡＮトーン組情報と、測定された基地局信号の位置を識別する情報２９６６と、を含む。この典型的実施形態においては、ピア・ツー・ピア通信シグナリングは、ピア・ツー・ピア信号が基地局に向けられたＷＡＮアップリンク信号に対する干渉として働いている状態で基地局によって使用中のＷＡＮアップリンク周波数帯域を用いる。この信号は、無線通信デバイス２９００によって受信されて測定され、測定は、無線通信デバイスピア・ツー・ピア送信電力レベルを制御するために利用され、幾つかの実施形態においては、信号は、ＷＡＮアップリンク帯域において通信され、他方、その他の実施形態においては、信号は、ＷＡＮダウンリンク帯域において通信される。情報２９６６は、いずれのＷＡＮ帯域がこの信号を搬送するかを識別し、幾つかの実施形態においては、信号に対応するより具体的な情報、例えば、反復的タイミング構造内におけるポイント及び／又は信号を識別するために用いられる特定のトーン情報、を識別する。
【００７１】
無線通信デバイス２９００がＷＡＮ通信、例えばセルラー通信、をサポートする様々な実施形態においては、データ／情報２９２０は、ＷＡＮ送信電力制御モジュール２９３６の出力である決定された最大ＷＡＮ送信電力レベル情報２９５６と、決定された実ＷＡＮ送信電力レベル情報２９５８と、も含む。
【００７２】
図７Ａと図７Ｂの組合せからなる図７は、様々な実施形態によるピア・ツー・ピア通信をサポートする無線通信デバイスを動作させる典型的方法の流れ図８００である。動作は、ステップ８０２において開始し、無線通信デバイスに電源が投入されて初期設定され、ステップ８０４に進み、ステップ８０４において、無線通信デバイスは、第１の信号を基地局から受信する。幾つかの実施形態においては、第１の信号は、アップリンク信号を基地局に送信するために用いられるアップリンク周波数帯域において受信される。幾つかのその他の実施形態においては、第１の信号は、前記基地局によって用いられるダウンリンク周波数帯域である周波数帯域において受信され、ピア・ツー・ピア信号は、他の周波数帯域において送信される。該実施形態においては、ピア・ツー・ピアシグナリングに関して用いられる他の周波数帯域は、アップリンク信号を基地局に送信するために用いられるアップリンク周波数帯域であることができ、時々該アップリンク周波数帯域である。
【００７３】
動作は、ステップ８０４からステップ８０６に進む。ステップ８０６において、無線通信デバイスは、受信された信号に関する測定、例えば信号電力測定、を行う。動作は、ステップ８０６からステップ８０８に進む。
【００７４】
ステップ８０８において、無線通信デバイスは、送信電力レベル制御パラメータを決定する。１つの典型的実施形態においては、ステップ８０８は、サブステップ８１０と、８１２と、を含む。他の典型的実施形態においては、ステップ８０８は、サブステップ８１４と、８１６と、を含む。さらに他の典型的実施形態においては、ステップ８０８は、サブステップ８１４と、８１８と、を含む。
【００７５】
サブステップ８１０において、無線通信デバイスは、異なるサービスレベルに対応する格納された送信電力レベル制御パラメータを含むメモリにアクセスし、次にサブステップ８１２において、無線通信デバイスは、前記無線通信デバイスに対応するサービスレベルに対応する格納された送信電力を検索する。  
サブステップ８１４において、無線通信デバイスは、前記基地局から前記無線通信デバイスによって受信された信号から制御値を復元する。幾つかの実施形態においては、制御値が復元される信号は、ステップ８０４において受信された第１の信号である。動作は、サブステップ８１４からサブステップ８１６及び８１８のうちの１つに進む。サブステップ８１６においては、無線通信デバイスは、復元された制御値を送信電力レベル制御パラメータとして用いる。代替として、サブステップ８１８において、無線通信デバイスは、復元された制御値及び無線端末に対応するサービスレベルに基づいて送信電力レベル制御パラメータを計算する。
【００７６】
動作は、ステップ８０８からステップ８２０に進む。ステップ８２０において、無線通信デバイスは、少なくとも幾つかのピア・ツー・ピア送信に関するピア・ツー・ピア送信電力を第１の信号の測定結果の関数として制御し、ピア・ツー・ピア送信電力の制御は、第１の関数に従ってピア・ツー・ピア送信電力を制御することを含み、第１の関数に従ってピア・ツー・ピア送信電力を制御することは、前記測定された受信された電力レベルに加えて、前記決定された送信電力レベル制御パラメータを前記第１の関数において用いることを含む。動作は、ステップ８２０から接続ノードＡ８２２を介してステップ８２４に進む。
【００７７】
ステップ８２４において、無線通信デバイスは、前記第１の信号が受信される時間と異なる時間に第２の信号を基地局から受信する。次に、ステップ８２６において、無線通信デバイスは、受信された第２の信号の測定、例えば受信された第２の信号の電力測定、を行う。動作は、ステップ８２６からステップ８２８に進み、ステップ８２８において、無線通信デバイスは、第２の受信された信号の測定された電力から、無線通信デバイスがピア・ツー・ピア通信信号を送信するのを控えるべきであることを決定する。動作は、ステップ８２８からステップ８３０に進む。ステップ８３０において、無線通信デバイスは、無線通信デバイスがピア・ツー・ピア通信信号を送信するのを控えるべきであることを決定後は、無線通信デバイスがピア・ツー・ピア信号を送信するのを許可されることが基地局からの他の信号の電力を測定することから決定するまでピア・ツー・ピア通信信号を送信するのを控える。
【００７８】
図８は、様々な実施形態による典型的無線通信デバイス３０００、例えばピア・ツー・ピア通信をサポートするモバイルノード等の無線端末、の図である。典型的無線通信デバイス３０００は、ピア・ツー・ピア通信を行うＷＡＮアップリンク帯域を用いることができ、時々用いる。典型的無線通信デバイス３０００は、ピア・ツー・ピア信号を基地局のアップリンク帯域内に送信することが許可されるかどうかを決定する際に及び／又はピア・ツー・ピア送信電力レベル情報、例えば最大ピア・ツー・ピア送信電力レベル、を決定する際に利用する信号を基地局から受信する。
【００７９】
無線通信デバイス３０００は、様々な要素がデータ及び情報を交換することができるバス３０１２を介してひとつに結合された受信機モジュール３００２と、送信機モジュール３００４と、ユーザーＩ／Ｏデバイス３００８と、プロセッサ３００６と、メモリ３０１０と、を含む。メモリ３０１０は、ルーチン３０１８と、データ／情報３０２０と、を含む。
【００８０】
プロセッサ３００６、例えばＣＰＵ、は、無線通信デバイス３０００の動作を制御し、方法、例えば図７の流れ図８００の方法、を実装するためにメモリ３０１０内のルーチン３０１８を実行し、データ／情報３０２０を用いる。
【００８１】
受信機モジュール３００２、例えばＯＦＤＭ受信機、は、無線通信デバイス３０００が基地局から信号を受信する受信アンテナ３０１４に結合され、前記受信された信号は、ピア・ツー・ピア送信電力レベル情報を決定する際に用いられる。受信機モジュール３００２は、ピア・ツー・ピア通信信号も受信する。送信機モジュール３００４、例えばＯＦＤＭ送信機、は、無線通信デバイス３０００がピア・ツー・ピア信号をその他の無線通信デバイスに送信する送信アンテナ３０１６に結合される。
【００８２】
ユーザーＩ／Ｏデバイス３００８は、例えば、マイク、キーボード、キーパッド、マウス、カメラ、スイッチ、スピーカー、ディスプレイ、等を含む。ユーザーＩ／Ｏデバイス３００８は、無線通信デバイス３０００のユーザーがデータ／情報を入力すること、出力されたデータ／情報にアクセスすること、及び無線通信デバイス３０００の少なくとも幾つかの機能、例えばピア・ツー・ピア通信セッションを開始するのを試みる、を制御することを可能にする。
【００８３】
ルーチン３０１８は、通信ルーチン３０２２と、無線端末制御ルーチン３０２４と、を含む。通信ルーチン３０２２は、無線通信デバイス３０００によって用いられる様々な通信プロトコルを実装する。無線端末制御ルーチン３０２４は、測定モジュール３０２６と、電力レベル制御パラメータ決定モジュール３０２８と、サービスレベル識別モジュール３０３４と、ピア・ツー・ピア送信電力制御モジュール３０３６と、を含む。
【００８４】
測定モジュール３０２６は、基地局からの受信された信号に関する測定を行う。受信された基地局情報１  ３０４４は、測定モジュール３０２６への入力を表し、信号１測定情報３０４６は、測定モジュール３０２６の出力を表す。様々な実施形態においては、測定モジュール３０２６の測定は、信号電力測定である。
【００８５】
電力レベル制御パラメータ決定モジュール３０２８は、送信電力レベル制御パラメータを決定する。幾つかの実施形態においては、電力レベル制御パラメータ決定モジュール３０２８は、送信電力レベルパラメータを検索された制御パラメータ３０４８に設定する。幾つかの実施形態においては、電力レベル制御パラメータ決定モジュール３０２８は、送信電力レベル制御パラメータを検索された制御パラメータ３０４８の関数として決定する。幾つかの実施形態においては、電力レベル制御パラメータ決定モジュール３０２８は、送信電力レベル制御パラメータを復元された制御パラメータ、例えば復号された制御パラメータ３０５０、に設定する。幾つかの実施形態においては、電力レベル制御パラメータ決定モジュール３０２８は、送信電力レベル制御パラメータを復元された制御パラメータ、例えば復号された制御パラメータ３０５０、の関数として決定する。幾つかの実施形態においては、電力レベル制御パラメータ決定モジュール３０２８は、送信電力レベル制御パラメータを識別されたサービスレベル３０５２の関数として決定する。幾つかの実施形態においては、電力レベル制御パラメータ決定モジュール３０２８は、送信電力レベル制御パラメータを検索された制御パラメータ３０４８及び復元された制御パラメータ、例えば復号された制御パラメータ３０５０、の関数として決定する。幾つかの実施形態においては、電力レベル制御パラメータ決定モジュール３０２８は、ｉ）復元された値を送信電力レベル制御パラメータとして用いる及びｉｉ）復元された制御値及び無線端末に対応するサービスレベルに基づいて送信電力制御パラメータを計算する、のうちの１つを含む動作によって送信電力レベル制御パラメータを決定する。
【００８６】
サービスレベル識別モジュール３０３４は、無線通信デバイス３０００に対応する現在のサービスレベルを識別する。例えば、通信デバイス３０００の幾つかの異なるユーザーは、幾つかの実施形態においては、異なるサービスレベル、例えば、緊急ユーザー、政府関係ユーザー、サービスプロバイダユーザー、階層１企業ユーザー、階層２企業ユーザー、階層１民間ユーザー、階層２民間ユーザー、等に対応する。他の例においては、異なるサービスレベルは、異なる型の通信デバイス、通信すべき異なる型のデータ、通信すべき異なるデータ量、及び／又は異なるレーテンシー上の考慮事項に対応する。識別された現在のサービスレベルは、識別されたサービスレベル３０５２において指定される。
【００８７】
電力レベル制御パラメータ決定モジュール３０２８は、検索モジュール３０３０と、制御パラメータ復元モジュール３０３２と、を含む。検索モジュール３０３０は、無線通信デバイス３０００に対応するサービスレベルに対応する格納された送信電力レベル制御パラメータを検索する。従って、検索モジュール３０３０は、識別されたサービスレベル３０５２を入力として使用し、サービスレベルを電力レベル制御パラメータにマッピングする情報３０６０にアクセスし、入力されたサービスレベルと関連づけられた制御パラメータを入手する。検索された制御パラメータ３０４８は、検索モジュール３０３０の出力である。
【００８８】
制御パラメータ復元モジュール３０３２は、通信デバイス３０００によって基地局から受信された信号から制御値を復元する。幾つかの実施形態においては、制御値は、測定モジュール３０５０によって測定されるのと同じ信号、例えば受信された基地局信号１  ３０４４、から復元される。復号された制御パラメータ３０５０は、制御パラメータ復元モジュール３０３２の出力である。幾つかの実施形態においては、復元された制御値は、干渉レベルインジケータ値である。
【００８９】
ピア・ツー・ピア送信電力制御モジュール３０３６は、少なくとも幾つかのピア・ツー・ピア信号送信に関するピア・ツー・ピア送信電力を受信された基地局信号の測定結果の関数として制御する。ピア・ツー・ピア送信電力制御モジュール３０３６は、最大ピア・ツー・ピア送信電力レベル決定サブモジュール３０３８と、実ピア・ツー・ピア送信電力レベル決定サブモジュール３０４０と、第１の関数３０４２と、を含む。
【００９０】
最大ピア・ツー・ピア送信電力レベルサブモジュール３０３８は、第１の関数３０４２を用いて最大ピア・ツー・ピア送信電力レベルを決定する。実ピア・ツー・ピア送信電力レベルサブモジュール３０４０は、実ピア・ツー・ピア信号送信電力レベルを前記最大ピア・ツー・ピア送信電力レベル及び第２のピア・ツー・ピア通信デバイスから受信されたピア・ツー・ピア信号の関数として決定する。様々な実施形態においては、サブモジュール３０４０は、実際の決定されたピア・ツー・ピア送信電力レベルが最大ピア・ツー・ピア送信電力レベル以下になるように制御する。
【００９１】
ピア・ツー・ピア送信電力レベル制御モジュール３０３６は、ピア・ツー・ピア送信電力レベルを決定する際に、例えば決定された最大ピア・ツー・ピア送信電力レベル３０５６を決定する際に、例えば信号１測定情報３０４６からの測定された受信電力レベルに加えて決定された送信電力レベル制御パラメータ３０４５を用いる。幾つかの実施形態においては、電力レベル制御パラメータ決定モジュール３０２８の機能の一部又は全部が、ピア・ツー・ピア送信電力制御モジュール３０３６の一部として含められる。
【００９２】
データ／情報３０２０は、基地局からの受信された信号、受信された基地局信号３０４４を含み、この受信された信号は、測定モジュール３０２６によって測定され、送信電力レベル情報を決定する際に利用される信号１測定情報３０４６が入手される。データ／情報３０２０は、送信電力レベル制御パラメータ３０５４と、決定された最大ピア・ツー・ピア送信電力レベル３０５６と、決定された実際のピア・ツー・ピア送信電力レベル３０５８と、サービスレベルを電力レベル制御パラメータにマッピングする情報３０６０と、タイミング周波数構造情報３０７０と、も含む。幾つかの実施形態においては、データ／情報３０２０は、識別されたサービスレベル３０５２、検索された制御パラメータ４０３８及び復号された制御パラメータ３０５０のうちの１つ以上を含む。
【００９３】
検索された制御パラメータ３０４８は、検索モジュール３０３０の出力であり、サービスレベルを電力制御パラメータにマッピングする情報３０６０の制御パラメータ値（制御パラメータ値１  ３０６６、．．．、制御パラメータ値Ｍ３０６８）のうちの１つに対応する。復号された制御パラメータ３０５０は、制御パラメータ復元モジュール３０３２の出力であり、受信された基地局信号から復元された情報を表す。幾つかの実施形態においては、情報が復元される受信された基地局信号は、電力が測定されるのと同じ基地局信号、例えば受信された基地局信号１  ３０４４、である。幾つかの実施形態においては、復元された制御値は、干渉レベルインジケータ値である。
【００９４】
識別されたサービスレベル３０５２は、サービスレベル識別モジュール３０３４の出力であり、検索モジュール３０３０への入力として用いられる。識別されたサービスレベル３０５２は、対応する制御パラメータ値を選択するために用いられる。例えば、識別されたサービスレベル３０５２がサービスレベルＭ  ３０６４を示す場合は、検索モジュール３０３０は、検索された制御パラメータ３０４８内に格納された制御パラメータ値Ｍ  ３０６８を検索する。
【００９５】
送信電力レベル制御パラメータ３０５４は、電力レベル制御パラメータ決定モジュール３０２８の出力である。送信電力レベル制御パラメータ３０５４は、識別されたサービスレベル３０５２、検索された制御パラメータ３０４８、及び復号された制御パラメータ３０５０のうちの１つ以上のパラメータの関数として決定される。送信電力レベル制御パラメータ３０５４は、ピア・ツー・ピア送信電力制御モジュール３０３６による入力として用いられる。
【００９６】
決定された最大ピア・ツー・ピア送信電力レベル３０５６は、最大ピア・ツー・ピア送信電力レベルサブモジュール３０３８の出力であり、他方、決定された実際のピア・ツー・ピア送信電力レベル３０５８は、実ピア・ツー・ピア送信電力レベル決定サブモジュール３０４０の出力である。
【００９７】
サービスレベルを電力レベル制御パラメータにマッピングする情報３０６０は、複数のサービスレベル（サービスレベル１  ３０６２、．．．、サービスレベルＭ  ３０６４）と、複数の対応する制御パラメータ値（制御パラメータ値１ ３０６６、．．．制御パラメータ値Ｍ  ３０６８）と、を含む。
【００９８】
タイミング／周波数構造情報３０７０は、データ／情報３０２０の一部として含められ、アップリンク周波数帯域情報３０７２、例えば、ＷＡＮアップリンク帯域幅情報、ＷＡＮアップリンク搬送波情報及びアップリンクＷＡＮトーン組情報、と、ダウンリンク周波数帯域情報３０７４、例えばＷＡＮダウンリンク帯域幅情報、ＷＡＮダウンリンク搬送波情報及びダウンリンクＷＡＮトーン組情報と、測定された及び／又は復号された基地局信号の位置を識別する情報３０７６と、を含む。この典型的実施形態においては、ピア・ツー・ピア通信シグナリングは、ピア・ツー・ピア信号が基地局に向けられたＷＡＮアップリンク信号に対する干渉として働いている状態で基地局によって使用中のＷＡＮアップリンク周波数帯域を用いる。無線通信デバイス３０００によって受信される信号が測定され、その測定は、無線通信デバイスピア・ツー・ピア送信電力レベルを制御するために利用される。この受信された基地局信号は、幾つかの実施形態においては、ＷＡＮアップリンク帯域において通信され、他方、その他の実施形態においては、信号は、ＷＡＮダウンリンク帯域において通信される。幾つかの実施形態においては、信号は、無線通信デバイス３０００によって受信され及び復号されて情報が復元され、例えば干渉インジケータ値が復元され、無線通信デバイスピア・ツー・ピア送信電力レベルを制御するためにも利用される。幾つかの実施形態においては、電力測定に関して利用される同じ基地局信号が、情報が復元される復号された信号である。幾つかのその他の実施形態においては、基地局からの２つの異なる受信された信号が存在し、一方の信号は、受信された電力レベルが測定されて利用される信号であり、他の信号は、符号化された電力制御情報、例えば符号化された干渉インジケータ値、を搬送する信号である。情報が復元される基地局信号、例えば干渉レベルインジケータ値、は、幾つかの実施形態においては、ＷＡＮアップリンク帯域において通信され、その他の実施形態においては、信号は、ＷＡＮダウンリンク帯域において通信される。情報３０７６は、いずれのＷＡＮ帯域が測定された基地局信号を搬送し、いずれのＷＡＮ帯域が情報復元のために用いられる基地局信号を搬送するかを識別する。幾つかの実施形態においては、情報３０７６は、信号又は信号（複数）に対応するより特定の情報、例えば反復的タイミング構造内のポイント及び／又は信号又は信号（複数）を識別するために用いられる特定のトーン情報、を識別する。
【００９９】
図９は、通信システム３０２と、周波数帯域使用情報について説明する表３０４と、典型的ピア・ツー・ピア無線端末送信電力レベル情報を示す表３０６と、を含む１つの典型的実施形態を示す図３００である。典型的通信システム３０２は、セル３１０によって表される対応するセルラーカバレッジエリアを有する基地局３０８を含む。基地局３０８は、ネットワークリンク３０９、例えば光ファイバーリンク、を介してその他のネットワークノード、例えばその他の基地局、ルーター、ＡＡＡノード、ホームエージェントノード、制御ノード、等、及び／又はインターネットに結合される。通信システム３０２においては、セルラー通信をサポートする複数の無線端末（ＷＴ１  ３１２、．．．、ＷＴ  Ｎ  ３１４）も存在する。セルラーＷＴ（３１２、３１４）は、無線リンク（３１６、３１８）をそれぞれ介して基地局３０８に結合される。
【０１００】
通信システム３０２においては、ピア・ツー・ピア通信をサポートする複数の無線端末（ＷＴ１’、ＷＴ２’３２８、ＷＴ３’、ＷＴ４’３４０）も存在する。ＷＴ１’は、２つの時点において示され、時間ｔ０においては要素３２４として及び時間ｔ１においては要素３２６として表される。ＷＴ１’の動きは、矢印３３４によって示される。ＷＴ３’は、の２つの時点において示され、時間ｔ０においては要素３３６として及び時間ｔ１においては要素３３８として表される。ＷＴ３’の動きは、矢印３４６によって示される。ＷＴ１’とＷＴ２’３２８との間におけるピア・ツー・ピア通信は、矢印３３０及び３３２によって示される。ＷＴ３’とＷＴ４’３４０との間におけるピア・ツー・ピア通信は、矢印３４２及び３４４によって示される。
【０１０１】
基地局は、ビーコン信号３２０をアップリンク帯域内に送信する。ビーコン信号は、ピア・ツー・ピア無線端末によって検出及び測定される。受信されたビーコン信号の電力測定がピア・ツー・ピア無線端末によって用いられ、無線端末がピア・ツー・ピア信号を送信することが許容されているかどうかを決定し、送信が許可されているときには送信電力レベル、例えば最大送信電力レベル、を制御する。基地局３０８の周囲の点線の円３２２は、ピア・ツー・ピア無線端末が信号を送信するのを制限される典型的ピア・ツー・ピア制限領域を示す。基地局３０８付近の領域においては、ピア・ツー・ピアシグナリングにおいて利用されるレベルにおけるピア・ツー・ピア無線端末からの送信は、セルラーモードにおいて動作中の無線端末（３１２、３１４）からのアップリンク信号を復元及び復号することを試みている基地局受信機の観点からの過度の干渉を生み出す可能性があり、従ってピア・ツー・ピア無線端末送信は許可されない。
【０１０２】
次に周波数帯域情報表３０４が説明される。第１の列３４８は、周波数帯域Ａが、セルラー無線端末によって受信されることが意図される基地局から送信された信号に関するセルラーダウンリンク帯域として用いられることを示す。第２の列３５０は、周波数帯域Ｂが、（ｉ）基地局によって受信されることが意図されるセルラー無線端末から送信された信号に関するセルラーアップリンク帯域として、（ｉｉ）基地局によって送信されてピア・ツー・ピア無線端末によって受信及び使用されることが意図されるピア・ツー・ピアビーコン信号を搬送するための帯域として、及び（ｉｉｉ）ピア・ツー・ピア無線端末から送信されてピア・ツー・ピア無線端末によって受信されることが意図される信号に関して用いられることが意図されるピア・ツー・ピア帯域として用いられることを示す。
【０１０３】
次にピア・ツー・ピア無線端末電力情報表３０６が説明される。第１の列３５２は、説明対象である典型的ピア・ツー・ピア無線端末（ＷＴ１’、ＷＴ２’ ＷＴ３’ ＷＴ４’）を識別する。第２の列３５４は、ｔ０又はｔ１のいずれかの時点を識別する。第３の列３５６は、同じ行において示される時間に対応する同じ行上の無線端末に対応する送信電力レベル情報を識別する。表３０６の情報は、ＷＴ１’に関する送信電力レベルが時間ｔ０からｔ１において上昇することを示す。この時間中にＷＴ１’が基地局３０８から遠ざかること及びＷＴ１’の観点からのビーコン信号３２０の測定された電力レベルがこの時間中に低下するのを予想できることを観測することができる。さらに、この時間中にＷＴ１’が制限ゾーン３２２の外側にとどまることも観測することができる。表３０６の情報は、ＷＴ３’に関する送信電力レベルが時間ｔ１からｔ０において低下するのを観測することができる。この時間中にＷＴ３’が基地局３０８の方向に移動すること及びＷＴ３’の観点からのビーコン信号３２０の測定された電力レベルがこの時間中に上昇するのを予想できることを観測することができる。さらに、この時間中にＷＴ３’が制限ゾーン３２２の外側にとどまることを観測することができる。表３０６において説明される電力レベルは、無線端末に関する最大許容送信電力レベルであることができる。代替として、表３０６において説明される電力レベルは、実際の送信電力レベルであることができる。
【０１０４】
幾つかの実施形態においては、少なくとも幾つかの無線端末は、複数の動作モード、例えばピア・ツー・ピア及びセルラー通信動作モード、をサポートする。
【０１０５】
図１０は、様々な実施形態による典型的無線通信システム４００の流れ図である。典型的無線通信システム４００は、少なくとも１つの基地局４０２と、ピア・ツー・ピア通信をサポートする複数の無線端末（無線端末１  ４０４、．．．、無線端末Ｎ  ４１０）と、広域ネットワークシグナリングをサポートする複数の無線端末（無線端末２  ４０６、．．．、無線端末ｎ  ４１２）と、ピア・ツー・ピアシグナリング及び広域ネットワークシグナリングの両方をサポートする複数の無線端末（無線端末３  ４０８、．．．、無線端末Ｍ  ４１４）と、を含む。
【０１０６】
基地局４０２は、ピア・ツー・ピア干渉管理モジュール４１６と、干渉信号測定モジュール４１８と、送信機モジュール４２０と、を含む。ピア・ツー・ピア干渉管理モジュール４１６は、ピア・ツー・ピア送信電力レベル制御値を決定する。送信機モジュール４２０は、決定されたピア・ツー・ピア送信電力レベル制御値を例えば通信されたインジケータ値として送信する。干渉信号送信モジュール４１８は、ヌルアップリンク送信期間中に信号干渉を測定し、測定された信号干渉情報をピア・ツー・ピア干渉管理モジュール４１６に供給する。
【０１０７】
無線端末１  ４０４は、受信された信号電力測定モジュール４２２と、ピア・ツー・ピア信号送信電力制御モジュール４２４と、差更新モジュール４２６と、メモリ４２８と、を含む。メモリ４２８は、幾つかの実施形態においては、格納された予め決められた差インジケータ情報４３０を含む。格納された予め決められた差インジケータ情報４３０は、基地局によってシグナリングすることができる複数のインジケータ（インジケータ１  ４４２、．．．、インジケータＮ  ４４４）と、対応する差値（差１  ４４６、．．．、差Ｎ  ４４８）と、をそれぞれ含む。
【０１０８】
受信信号電力測定モジュール４２２は、基地局、例えば基地局４０２、から受信された信号の電力を測定する。ピア・ツー・ピア信号送信電力制御モジュール４２４は、第１の関数に従い、ピア・ツー・ピア信号送信電力レベルを、基地局からの信号の測定された電力の関数として制御する。様々な実施形態においては、ピア・ツー・ピア信号送信電力レベルは、最大許容ピア・ツー・ピア信号送信電力レベルである。差更新モジュール４２６は、基地局、例えば基地局４０２、から差インジケータ値を受け取り、受け取られたインジケータ値に基づいて第１の関数を更新する。幾つかの実施形態においては、差は、予め決められた量であり、インジケータ及び対応する予め決められた差を格納するメモリ４２８にアクセスされ、アクセスされた値が第１の関数によって用いられる。
【０１０９】
無線端末２  ４０６は、受信信号電力測定モジュール４３２と、広域ネットワーク信号送信電力制御モジュール４３４と、を含む。受信信号電力測定モジュール４３２は、基地局、例えば基地局４０２、から受信された信号の電力レベルを測定する。広域ネットワーク信号送信電力制御モジュール４３４は、第２の関数に従い、無線端末２  ４０６に関する広域信号送信電力レベルを基地局から受信された信号の測定された電力の関数として制御し、第２の関数は、第１の関数と異なる。幾つかの実施形態においては、広域信号送信電力レベルは、最大広域信号送信電力レベルである。様々な実施形態においては、第２の関数は、測定された受信信号電力の所定の値に関する第１の関数よりも高い送信電力レベルを決定する。幾つかの該実施形態においては、測定された受信信号電力の所定の値に関して第１及び第２の関数によって決定された送信電力間におけるｄＢの差は、少なくとも１０ｄＢである。
【０１１０】
無線端末３  ４０８は、受信信号電力測定モジュール４３６と、ピア・ツー・ピア信号送信電力制御モジュール４３８と、広域ネットワーク信号送信電力制御モジュール４４０と、を含む。受信信号電力測定モジュール４３６は、基地局から受信された信号の電力レベルを測定する。ピア・ツー・ピア信号送信電力制御モジュール４３８は、第１の関数に従い、ピア・ツー・ピア信号送信電力レベルを基地局からの信号の測定された電力の関数として制御する。広域ネットワーク信号送信電力制御モジュール４４０は、第２の関数に従い、広域信号送信電力レベルを基地局からの信号の測定された電力の関数として制御し、前記第２の関数は、前記第１の関数と異なる。様々な実施形態においては、モジュール４４０によって用いられる第２の関数は、測定された受信信号電力の所定の値に関してモジュール４３８によって用いられる第１の関数よりも高い送信電力レベルを決定する。幾つかの該実施形態においては、測定された受信信号電力の所定の値に関して第１及び第２の関数によって決定された送信電力間におけるｄＢの差は、少なくとも１０ｄＢである。幾つかの実施形態においては、ＷＴ３  ４０８のモジュール４３８によって用いられる第１の関数は、
ＷＴ１  ４０４のモジュール４２４によって用いられる第１の関数と同じである。幾つかの実施形態においては、ＷＴ３  ４０８のモジュール４４０によって用いられる第２の関数は、ＷＴ２  ４０６のモジュール４３４によって用いられる第２の関数と同じである。
【０１１１】
図１１は、様々な実施形態による典型的基地局動作方法の流れ図である。典型的方法の動作は、ステップ５０２において開始し、ステップ５０４に進む。ステップ５０４において、基地局は、干渉バジェット情報を格納する。動作は、ステップ５０４からステップ５０６及びステップ５０８に進む。
【０１１２】
継続的に実行されるステップ５０８において、基地局は、隣接基地局間におけるアップリンクヌル期間の同期化を維持するために少なくとも１つの隣接基地局との同期化を維持するように動作される。様々な実施形態においては、アップリンクヌル期間は、基地局によって用いられるアップリンク帯域幅の少なくとも一部分がアップリンク信号を基地局に送信するために意図的に用いられない期間である。
【０１１３】
ステップ５０６に戻り、ステップ５０６において、基地局は、アップリンクヌル期間中にバックグラウンド干渉を測定する。次に、ステップ５１０において、基地局は、第１のアップリンク送信電力制御値を測定されたバックグラウンド干渉の関数として決定する。ステップ５１０は、サブステップ５１２を含む。サブステップ５１２において、基地局は、格納された干渉バジェット情報を前記測定されたバックグラウンド干渉と組み合わせて用いて第１のアップリンク送信電力制御値を生成する。サブステップ５１２は、サブステップ５１４と、５１６と、５１８と、５２０と、を含む。サブステップ５１４において、基地局は、測定されたバックグラウンド干渉が格納された干渉バジェット情報によって示された干渉バジェット限度を超えるかどうかを決定する。バジェット限度を超える場合は、動作は、サブステップ５１４からサブステップ５１６に進み、その他の場合は、動作は、サブステップ５１４からサブステップ５１８に進む。
【０１１４】
サブステップ５１６において、基地局は、前回のアップリンク送信電力制御値を修正し、前記修正された送信電力制御値は、ピア・ツー・ピア送信電力レベルを前回のアップリンク送信電力制御値よりも大きく制限する。サブステップ５１８に戻り、サブステップ５１８において、基地局は、測定されたバックグラウンド干渉が格納された干渉バジェット情報によって示される前記干渉バジェット限度よりも低い、例えば少なくとも予め決められたしきい値だけ低い、かどうかを決定する。サブステップ５１８において、測定されたバックグラウンド干渉が試験判定基準を満たすために干渉バジェット限度よりも低いことが決定された場合は、動作は、サブステップ５１８からサブステップ５２０に進む。サブステップ５２０において、基地局は、以前のアップリンク送信電力制御値を修正し、前記修正された送信電力制御値は、ピア・ツー・ピア送信電力レベルを、前回の送信電力制御値によって制御されるレベルよりも高いレベルに上昇させる。
【０１１５】
動作は、ステップ５１０からステップ５２２に進み、ステップ５２２において、基地局は、前記決定された第１のアップリンク送信電力制御値を送信する。
【０１１６】
図１２は、様々な実施形態による典型な基地局動作方法の流れ図である。典型的方法の動作は、ステップ６０２において開始し、ステップ６０４に進む。ステップ６０４において、基地局は、干渉バジェット情報を格納する。動作は、ステップ６０４からステップ６０６及びステップ６０８に進む。
【０１１７】
継続的に実行されるステップ６０８において、基地局は、隣接基地局間におけるアップリンクヌル期間の同期化を維持するために少なくとも１つの隣接基地局との同期化を維持するように動作される。様々な実施形態においては、アップリンクヌル期間は、基地局によって用いられるアップリンク帯域幅の少なくとも一部分がアップリンク信号を基地局に送信するために意図的に用いられない期間である。
【０１１８】
ステップ６０６に戻り、ステップ６０６において、基地局は、第１のアップリンクヌル期間中にバックグラウンド干渉を測定する。次に、ステップ６１０において、基地局は、第１のアップリンク送信電力制御値を測定されたバックグラウンド干渉の関数として決定する。動作は、ステップ６１０からステップ６１２に進む。ステップ６１２において、基地局は、前記決定された第１のアップリンク送信電力制御値を送信する。動作は、ステップ６１２からステップ６１４に進む。
【０１１９】
ステップ６１４において、基地局は、第２のアップリンクヌル期間中にバックグラウンド干渉を測定し、次にステップ６１６において、基地局は、第１のアップリンクヌル期間及び第２のアップリンクヌル期間に対応する測定から測定されたバックグラウンド干渉の変化を決定する。動作は、ステップ６１６からステップ６１８に進む。
【０１２０】
ステップ６１８において、基地局は、第２のアップリンク送信電力制御値を、第２のアップリンクヌル期間に対応する測定されたバックグラウンド干渉及び測定されたバックグラウンド干渉の決定された変化の関数として決定し、次にステップ６２０において、基地局は、決定された第２のアップリンク送信電力制御値を送信する。動作は、ステップ６２０からステップ６２２に進む。
【０１２１】
ステップ６２２において、基地局は、第３のヌル期間中に、バックグラウンド干渉を測定し、ステップ６２４において、基地局は、第２のアップリンクヌル期間及び第３のアップリンクヌル期間に対応する測定から測定されたバックグラウンド干渉の変化を決定する。動作はステップ６２４からステップ６２６に進み、ステップ６２６において、基地局は、第１のアップリンク送信電力制御値と第２のアップリンク送信電力制御値との間の差を決定する。動作は、ステップ６２６からステップ６２８に進む。
【０１２２】
ステップ６２８において、基地局は、第３のアップリンク送信電力制御値を、第３のアップリンクヌル期間に対応する測定されたバックグラウンド干渉、第２及び第３のアップリンクヌル期間の間の測定されたバックグラウンド干渉の決定された変化、及び２つの前回送信された電力制御値間の決定された差の関数として決定する。動作は、ステップ６２８からステップ６３０に進み、ステップ６３０において、基地局は、決定された第３のアップリンク送信電力制御値を送信する。
【０１２３】
図１３は、様々な実施形態による典型的基地局２８００の図である。典型的基地局２８００は、広域ネットワークアップリンク通信に関して用いられるのと同じエアリンク資源内に送信中のピア・ツー・ピア無線端末からの受信干渉を管理する。典型的基地局２８００は、送信電力レベルを決定する際にピア・ツー・ピア無線端末によって利用されるアップリンク電力制御信号を決定及び送信する。幾つかの実施形態においては、基地局２８００によって送信されたアップリンク電力制御信号は、送信電力レベルを制御するために、基地局をネットワークアタッチメントポイントとして使用しアップリンク信号を基地局に送信する無線端末によっても利用される。
【０１２４】
典型的基地局２８００は、様々な要素がデータ及び情報を交換することができるバス２８１２を介してひとつに結合される受信機モジュール２８０２と、送信機モジュール２８０４と、プロセッサ２８０６と、Ｉ／Ｏインタフェース２８０８と、メモリ２８１０と、を含む。
【０１２５】
受信機モジュール２８０２、例えばＯＦＤＭ受信機、は、受信アンテナ２８１４に結合され、受信アンテナ２８１４を介して、基地局２８００は、無線端末、例えば、セルラーモードで機能中であって基地局２８００をアタッチメントポイントとして用いる無線端末、からアップリンク信号を受信する。受信機モジュール２８０２は、ローカル近隣において動作中のピア・ツー・ピア通信からの干渉も受ける。幾つかの実施形態においては、受信機モジュール２８０２は、隣接セル内のセルラーデバイスからのアップリンクシグナリングからも干渉を受ける。
【０１２６】
送信機モジュール２８０４、例えばＯＦＤＭ送信機、は、送信アンテナ２８１６に結合され、送信アンテナ２８１６を介して、基地局２８００は、基地局２８００をネットワークアタッチメントポイントとして用いる無線端末にダウンリンク信号を送信する。送信機モジュール２８０４は、送信電力レベルを制御するためにピア・ツー・ピア無線端末によって用いられるアップリンク送信電力制御値信号も送信し、ピア・ツー・ピア無線端末は、基地局のアップリンク帯域をピア・ツー・ピアシグナリングのために使用し、従って基地局受信機モジュール２８０２の観点からの干渉を発生させる。
【０１２７】
メモリ２８１０は、ルーチン２８１８と、データ／情報２８２０と、を含む。プロセッサ２８０６、例えばＣＰＵ、は、基地局２８００の動作を制御し、方法を実装するためにメモリ２８１０内のルーチン２８１８を実行し、データ／情報２８２０を用いる。ルーチン２８１８は、通信ルーチン２８２２と、干渉測定モジュール２８２４と、無線端末電力制御モジュール２８２６と、無線端末電力制御信号送信モジュール２８３０と、を含む。幾つかの実施形態においては、ルーチン２８１８は、広域ネットワーク同期化モジュール２８２８及び干渉タイプ分離モジュール２８３２のうちの１つ以上を含む。
【０１２８】
通信ルーチン２８２２は、基地局２８００によって用いられる様々な通信プロトコルを実装する。干渉測定モジュール２８２４は、アップリンクヌル期間中にバックグラウンド干渉を測定する。無線端末電力制御モジュール２８２６は、アップリンク送信電力制御値を測定されたバックグラウンド干渉の関数として決定する。様々な実施形態においては、無線端末電力制御モジュール２８２６は、アップリンク送信電力制御値を生成するために、格納された干渉バジェット情報を測定されたバックグラウンド干渉と組み合わせて用いてアップリンク電力制御値を決定する。無線端末電力制御信号送信制御モジュール２８３０は、送信機モジュール２８０４が生成されたアップリンク送信電力制御信号、例えば第１のアップリンク送信電力制御値２８５０、を送信するように制御する。幾つかの実施形態においては、制御モジュール２８３０は、送信機モジュール２８０４が生成されたアップリンク送信電力制御値を反復的スケジュールに従って送信するように制御する。幾つかの実施形態においては、制御モジュール２８３０は、干渉レベル情報の関数として送信を制御する。幾つかの実施形態においては、無線端末電力制御モジュール２８２６は、アップリンク送信電力制御値を測定されたバックグラウンド干渉及び前回の送信からの測定されたバックグラウンド干渉の変化の関数として決定する。幾つかの実施形態においては、無線端末電力制御モジュール２８２６は、アップリンク送信電力制御値を２つの以前に送信された電力制御値間の差の関数として決定する。
【０１２９】
幾つかの実施形態においては、無線端末電力制御モジュール２８２６は、測定されたバックグラウンド干渉が格納された干渉バジェット情報によって示される干渉バジェット限度を超えるときに前回のアップリンク送信電力制御値を修正することを含む動作によってアップリンク送信電力制御値を決定し、修正された送信電力制御値は、ピア・ツー・ピア送信電力レベルを前回のアップリンク送信電力制御値よりも大きく制限する。幾つかの実施形態においては、無線端末電力制御モジュール２８２６は、測定されたバックグラウンド干渉が格納された干渉バジェット情報によって示される干渉バジェット限度を下回るときに前回のアップリンク送信電力制御値を修正することを含む動作によってアップリンク送信電力制御値を決定し、修正された送信電力制御値は、ピア・ツー・ピア送信電力レベルを前回のアップリンク送信電力制御値よりも大きく上昇させる。様々な実施形態においては、より高いレベルに変更することは、前記測定された干渉が前記干渉バジェット限度を少なくとも予め決められたしきい値だけ下回るときに行われる。
【０１３０】
従って、アップリンク送信電力制御値の値は、ピア・ツー・ピア通信の送信電力レベルを規制するために基地局２８００によって用いられ、それにより、基地局２８００に向けられているアップリンク信号への干渉に影響を与える。
【０１３１】
広域ネットワーク同期化モジュール２８２８は、隣接基地局間におけるアップリンクヌル期間の同期化を維持するために少なくとも１つの隣接基地局との同期化を維持するために用いられる。
【０１３２】
干渉タイプ分離モジュール２８３２は、ピア・ツー・ピア通信を干渉源とするアップリンク干渉の寄与度の推定値を入手するために用いられる。幾つかの実施形態においては、干渉タイプ分離モジュール２８３２は、その他の干渉源、例えば基地局２８００に関して同期化されていない隣接セル内においてアップリンク信号を送信中のセルラー通信デバイス、からピア・ツー・ピア干渉を分離する一環として、後続するアップリンクヌル期間中に制御された変化レベルをアップリンク送信電力制御値内に意図的に入力し、干渉測定内における観測された影響を計算する。
【０１３３】
データ／情報２８２０は、時間／周波数構造情報２８３４と、格納された干渉バジェット情報２８４０と、複数の組の干渉測定情報（アップリンク干渉測定情報１  ２８４６、．．．、アップリンク干渉測定情報Ｎ  ２８４８）と、複数の生成されたアップリンク送信電力制御値（第１のアップリンク送信電力制御値２８５０、．．．、第Ｍのアップリンク送信電力制御値２８５２）と、を含む。
【０１３４】
タイミング／周波数構造情報２８３４は、反復的時間構造情報２８３６を含む。反復的時間構造情報２８３６は、アップリンクヌル期間２８３８を識別する情報を含む。幾つかの実施形態においては、アップリンクヌル期間は、前記基地局によって用いられるアップリンク帯域幅の少なくとも一部分が基地局にアップリンク信号を送信するために意図的に用いられない期間に対応する。幾つかの実施形態においては、アップリンクヌル期間は、基地局２８００アタッチメントポイントを使用中の無線端末、例えばセルラー通信デバイス、が基地局２８００にアップリンク信号を送信することを意図的に控える期間である。この期間中に、アップリンク周波数帯域を用いたピア・ツー・ピア無線端末シグナリングが継続する。従って、基地局２８００は、この期間中にバックグラウンド干渉を測定することができる。アップリンクヌル期間が同時並行するように隣接基地局が同期化される場合は、これらの期間中における測定された雑音は、ピア・ツー・ピアシグナリングと関連づけることができる。しかしながら、隣接基地局が同期化されず、同じアップリンク帯域が用いられる場合は、該アップリンクヌル期間中における測定された干渉は、隣接基地局に対応するピア・ツー・ピア無線端末及びセルラー通信デバイスの両方からの干渉を含む。
【０１３５】
格納された干渉バジェット情報２８４０は、バックグラウンド干渉限度情報２８４２と、しきい値情報２８４４と、を含む。
【０１３６】
図１４は、様々な実施形態による典型的通信システム９０２と周波数帯域使用表９０４とを含む図９００である。典型的通信システム９００においては、広域ネットワークは、ピア・ツー・ピア通信と帯域幅を共有する。様々な実施形態においては、広域ネットワークは、配備されたシステムに対応し、ピア・ツー・ピア能力は、アドオン及び／又はアップグレード機能を含む。幾つかの実施形態においては、典型的通信システム９０２は、最初は、ＷＡＮ及びピア・ツー・ピア能力の両方を含む状態で配備される。周波数帯域使用表９０４は、典型的システム９０２に対応することができる２種類の実施形態を示す。第１の種類の実施形態である種類Ａの実施形態においては、広域ネットワークは、周波数分割複信（ＦＤＤ）を使用し、広域周波数分割複信アップリンク帯域は、ピア・ツー・ピア通信活動と帯域幅を共有する。第２の種類の実施形態である種類Ｂ実施形態においては、広域ネットワークは、アップリンク及びダウンリンクに関して同じ帯域の時分割複信（ＴＤＤ）を使用し、広域帯域は、ピア・ツー・ピア通信活動とアップリンク時間スロットを共有する。従って、両方の種類の実施形態において、広域ネットワーク通信デバイスからのアップリンクシグナリングは、ピア・ツー・ピア通信デバイスによるピア・ツー・ピア通信信号の受信と干渉する可能性があり、ピア・ツー・ピア通信デバイス間に向けられたピア・ツー・ピア通信信号は、基地局における広域ネットワークアップリンク信号の受信と干渉する可能性がある。
【０１３７】
典型的通信システム９０２は、基地局９０６と、広域ネットワーク無線端末９０８、例えばセルラーモードノード、と、第１のピア・ツー・ピア無線端末９１０と、第２のピア・ツー・ピア無線端末９１２と、を含む。説明の目的上、広域ネットワーク無線端末９０８はアップリンク信号９１４を基地局９０６に送信することについて考察する。基地局９０６は、この信号を受信し、受信された信号をＰＣ１として測定する。ピア・ツー・ピア無線端末２  ９１２の観点からの信号９１４は、広域ネットワーク無線端末９０８の観点からは干渉９１６であるとみなされる。次に、第１のピア・ツー・ピア無線端末９１０がピア・ツー・ピア信号９１８をピア・ツー・ピア無線端末２  ９１２に送信することについて考察する。基地局９０６の観点からの信号９１８は、第１のピア・ツー・ピア無線端末９１０の観点からは干渉であるとみなされる。基地局９０６は、この干渉を受信し、受信された信号をＰＰ１として測定する。
【０１３８】
様々な実施形態により、広域システムが優先され、基地局において干渉が管理される。例えば、（ＰＰ１／ＰＣ１）≦α等の目標を達成するような電力制御値αが選択される。幾つかの該実施形態においては、αは、−１０ｄＢ、−２０ｄＢ、又は−３０ｄＢ等の値である。例においては、１つの広域ネットワークの無線端末アップリンクシグナリングに対応する基地局受信に関する干渉を引き起こす１つのピア・ツー・ピア無線端末に関して説明されるが、送信中であって干渉に寄与している複数のピア・ツー・ピア無線端末が存在できること、及び時々存在すること、及び、基地局が復元を試行中であるアップリンク信号を基地局に送信中の複数の広域ネットワーク無線端末が存在できること、及び時々存在すること、が理解されるべきである。従って、干渉を管理するために基地局によって決定される制御係数αは、複数のユーザーに依存することができ、時々依存する。幾つかの実施形態においては、制御係数αは、ユーザー数、例えばアクティブな広域ネットワークユーザー数及び／又はアクティブなピア・ツー・ピアユーザー数に依存する。
【０１３９】
図１５は、基地局がピア・ツー・ピア雑音の有無をモニタリング及び測定するサイレント期間を広域ネットワークが有する様々な実施形態の一特長を示した図１００２である。典型図１００２は、対応するセルラーカバレッジエリア１００６を有する基地局１００４を含む。幾つかの実施形態においては、セルラーカバレッジエリアは、少なくとも１ｋｍの半径を有する。セル内においては、セルラー動作モードで機能中の複数の無線端末（ＷＴ  Ａ  １００８、ＷＴ  Ｂ  １０１０、ＷＴ  Ｃ  １０１２、ＷＴ  Ｄ  １０１４）が存在する。これらの無線端末（１００８、１０１０、１０１２、１０１４）は、ダウンリンク信号を基地局１００４から受信し、アップリンク信号を基地局１００４に送信する。しかしながら、この時点は、広域ネットワーク無線端末（１００８、１０１０、１０１２、１０１４）がアップリンク信号を送信しない意図的な広域ネットワークアップリンクサイレント期間に対応する。
【０１４０】
セル１００６は、ピア・ツー・ピア動作モードで機能中の複数の無線端末（ＷＴ１ １０１６、ＷＴ２ １０１８、ＷＴ３  １０２０、ＷＴ４  １０２２）も含む。ピア・ツー・ピア通信はこの期間中には制限されない。ピア・ツー・ピアＷＴ１  １０１６が偶然ピア・ツー・ピア信号１０２４をピア・ツー・ピア無線端末２  １０１８に送信中である。この送信されたピア・ツー・ピア信号１０２４は、基地局１００４内の受信機の観点からはピア・ツー・ピア雑音干渉信号１０２６であるとみなされる。ピア・ツー・ピアＷＴ３  １０２０が偶然ピア・ツー・ピア信号１０２８をピア・ツー・ピア無線端末４  １０２２に送信中である。この送信されたピア・ツー・ピア信号１０２８は、基地局１００４内の受信機の観点からはピア・ツー・ピア雑音干渉信号１０３０であるとみなされる。
【０１４１】
図１６は、様々な実施形態の幾つかの特長を示す図１１０２であり、図１５の例の続きである。基地局１００４は、電力制御値αを測定されたピア・ツー・ピア干渉の関数として決定する。次に、基地局は、無線端末によって用いられる信号１１０４を介してこの制御値αをブロードキャストする。この典型的実施形態においては、基地局は、制御値αに関する単一の値をブロードキャストする。しかしながら、この値は、ブロードキャスト信号１１０４を受信中の異なる無線通信デバイスによって異なる形で用いることができ、時々用いられる。この例においては、セルラーモードで動作中の無線端末の組（ＷＴ  Ａ  １００８、ＷＴ  Ｂ  １０１０、ＷＴ  Ｃ  １０１２、ＷＴ  Ｄ  １０１４）は、第１の電力制御関数、ｆ１（α）１１０６を用いて送信電力レベル制御パラメータを決定し、他方、ピア・ツー・ピアモードで動作中の無線端末の組（ＷＴ  １  １０１６、ＷＴ  ２  １０１８、ＷＴ  ３  １０２０、ＷＴ  ４  １０２２）は、第２の電力制御関数、ｆ２（α）１１０８を用いて送信電力レベル制御パラメータを決定する。
【０１４２】
図１７は、様々な実施形態の一特長を示す制御値に関する典型的ルックアップテーブル１２００の図である。幾つかの実施形態においては、無線端末は、ブロードキャスト電力制御値を基地局から受信し、使用する自己の電力制御値を受信された値及び対応するサービスレベルの関数として決定する。異なるサービスレベルは、異なるトラフィック型、異なる種類のサービス、及び／又はサービスの異なるユーザーに対応することができ、時々対応し、異なるサービスレベルにマッピングすることができ、時々マッピングする。例えば、典型的な異なる優先度は、幾つかの実施形態においては、異なるトラフィック型、例えば音声、レーテンシーが重要なデータ、及びベストエフォート型データと関連づけられる。典型的な異なる種類のサービスは、例えば、緊急通信サービスと、通常の通信と、を含む。異なるタイプのユーザーは、例えば、優先度の高いユーザー、例えば警察、消防署、緊急サービス、高サービスレベルプランに加入している優先度が中レベルのユーザー、低サービスレベルプランに加入している優先度が低いユーザー、を含む。従って、幾つかの実施形態においては、復元された電力制御値は、優先度レベルの関数として修正される。
【０１４３】
典型的表１２００においては、第１の列１２０２は、典型的な受信された制御値αを示し、第２の列１２０４は、典型的な対応するサービスレベル１制御値α１を示し、第３の列１２０６は、典型的な対応するサービスレベル２制御値α２を示し、第４の列１２０８は、典型的な対応するサービスレベル３制御値
α３を示す。第１の行１２１０は、ルックアップテーブル１２００を用いる無線端末が−１０ｄＢを示すブロードキャスト電力制御値を基地局から受信し、その対応するサービスレベルが（サービスレベル１、サービスレベル２、サービスレベル３）である場合は、電力制御値に関して（−１０ｄＢ、−１５ｄＢ、−２０ｄＢ）をそれぞれ用いることを示す。第２の行１２１２は、ルックアップテーブル１２００を用いる無線端末が−２０ｄＢを示すブロードキャスト電力制御値を基地局から受信し、その対応するサービスレベルが（サービスレベル１、サービスレベル２、サービスレベル３）である場合は、電力制御値に関して（−２０ｄＢ、−２５ｄＢ、−３０ｄＢ）をそれぞれ用いることを示す。第３の行１２１４は、ルックアップテーブル１２００を用いる無線端末が−３０ｄＢを示すブロードキャスト電力制御値を基地局から受信し、その対応するサービスレベルが（サービスレベル１、サービスレベル２、サービスレベル３）である場合は、電力制御値に関して（−３０ｄＢ、−３５ｄＢ、−４０ｄＢ）をそれぞれ用いることを示す。
【０１４４】
図１８は、様々な実施形態による基地局、例えばアップリンク帯域幅がピア・ツー・ピアシグナリングに関しても利用される基地局、を動作させる典型的方法の流れ図１３００である。基地局は、例えば、動作が隣接する基地局間で同期化されるセルラー通信システムの一部として動作中の基地局である。隣接基地局間での同期化は、広域ネットワーク無線端末セルアップリンクシグナリングをユニバーサル的に停止するように制御することができるユニバーサルアップリンクヌル期間の実装を容易にする。これらのヌル期間は、バックグラウンド干渉の測定に関して利用される。該実施形態においては、バックグラウンド干渉Ｗは、Ｗ＝熱雑音＋ピア・ツー・ピア雑音によって概算することができる。基地局は、干渉を制御することを希望し、近隣の無線端末によって受信されるための電力制御係数αを決定してブロードキャストする。
【０１４５】
動作は、ステップ１３０２において開始し、基地局に電源が投入されて初期設定される。幾つかの実施形態においては、初期設定は、無線端末にブロードキャストされる電力制御係数αに関するデフォルト値の使用を含む。動作は、開始ステップ１３０２からステップ１３０４に進む。ステップ１３０４において、基地局は、ヌル間隔、例えばＷＡＮ無線端末がシグナリングを控えるように制御されるアップリンクヌル期間、中にバックグラウンド干渉Ｗを測定する。
【０１４６】
動作は、ステップ１３０４からステップ１３０６に進む。ステップ１３０６において、基地局は、電力制御係数αを測定されたバックグラウンド干渉の関数として決定する。様々な実施形態においては、使用される関数は、Ｗが増大するのに応じて、Ｗの少なくとも何らかの非ヌル範囲に関してαが大きくなるような関数である。幾つかの実施形態においては、ステップ１３０６の決定は、格納された干渉バジェット情報との比較を含む。動作は、ステップ１３０６からステップ１３０８に進む。
【０１４７】
ステップ１３０８において、基地局は、決定された電力制御係数αをブロードキャストする。動作は、ステップ１３０８からステップ１３０４に進み、ステップ１３０４において、バックグラウンド干渉の他の測定が行われる。
【０１４８】
幾つかの実施形態においては、バックグラウンド干渉の複数の測定が行われ、ブロードキャストされる決定された電力制御係数を生成する際に複数のヌル間隔に対応して用いられる。従って、幾つかの実施形態においては、基地局は、決定された電力制御係数をステップ１３０８においてブロードキャストする前に一組のヌル間隔に対応する一組のバックグラウンド測定、例えばステップ１３０４の複数の繰り返し、を行う。
【０１４９】
図１９は、様々な実施形態による基地局、例えばアップリンク帯域幅がピア・ツー・ピアシグナリングに関しても利用される基地局、を動作させる典型的方法の流れ図１４００である。基地局は、例えば、隣接する基地局間において動作が同期化されないセルラー通信システムの一部として動作中の基地局である。基地局によって用いられるアップリンクタイミング構造において、アップリンクヌル期間は、バックグラウンド干渉を測定するために基地局によって利用される。しかしながら、近隣セルにおける動作は同期化されないため、近隣セルからの干渉レベルが経時で変化し、バックグラウンド干渉のピア・ツー・ピア成分の抽出を、隣接基地局が同期化されさらに意図的なアップリンクヌルが同時並行して発生しているように制御された場合よりも困難にする可能性がある。
【０１５０】
基地局は、干渉を制御することを希望し、近隣の無線端末によって受信されることになる電力制御係数αを決定及びブロードキャストする。この実施形態の特長により、基地局は、応答を測定するために、ブロードキャストするブロードキャスト電力制御係数を制御された入力として意図的に変化させる。
【０１５１】
動作は、ステップ１４０２において開始し、基地局に電源が投入されて初期設定され、ステップ１４０４に進む。ステップ１４０４において、基地局は、電力制御係数α１をブロードキャストする。この時点においては、α１は、初期設定から入手されたデフォルト値である。次に、ステップ１４０６において、基地局は、ヌル間隔、例えば基地局を用いる無線通信デバイスがアップリンク信号を送信することが意図的に制限されるアップリンクＷＡＮヌル間隔、中にバックグラウンド干渉Ｗ１を測定する。動作は、ステップ１４０６からステップ１４０８に進む。
【０１５２】
ステップ１４０８において、基地局は、第２の電力制御係数α２を決定するように電力制御係数を調整する。例えば、α２＝α１＋Δαであり、ここで、Δαは、ゼロでない値であり、正又は負であることができる。典型的には、Δαは、α１の大きさの小さい一部分、例えばα１の２５％以下、の大きさを有する。動作は、ステップ１４０８からステップ１４１０に進み、ステップ１４１０において、基地局は、新しい電力制御係数α２を送信する。動作は、ステップ１４１０から１４１２に進む。
【０１５３】
ステップ１４１２において、基地局は、ヌル間隔中にバックグラウンド干渉Ｗ２を測定する。動作は、ステップ１４１２からステップ１４１４に進む。ステップ１４１４において、基地局は、電力制御係数α３を、測定されたバックグラウンド干渉の変化及び送信された電力制御係数の変化の関数として決定する。例えば、α３は、ΔＷ及びΔαの関数として決定され、ここで、ΔＷ＝Ｗ２−Ｗ１である。１つの典型的実施形態においては、α３は、α３＝α２＋Δα及びα３＝α１−Δαのうちの１つである。動作は、ステップ１４１４からステップ１４１６に進み、基地局は、α１＝α３に設定する。動作は、ステップ１４０４に進み、ステップ１４０４において、基地局は、電力制御係数α１をブロードキャストする。
【０１５４】
図２０は、雑音Ｗを縦軸１５０２、αを横軸１５０４に示した作図１５００である。雑音Ｗは、アップリンク信号の復元を試みている基地局における受信雑音を表し、ピア・ツー・ピア雑音と、その他のセル干渉と、を含む。変数αは、電力制御係数である。曲線１５０６は、その他のセル干渉レベル１５０８に対応するＷ対αの特性曲線である。第１の基地局に対応する意図的なアップリンクヌル時間間隔中において、第１の基地局は、該基地局をアタッチメントポイントとして用いる無線端末がアップリンクシグナリングを控えるように意図的に制御する。この意図的アップリンクヌル時間間隔中において、セル内におけるピア・ツー・ピア活動が継続することが許容される。従って、ピア・ツー・ピア活動は、第１の基地局受信機によって雑音として処理され、測定された雑音Ｗに寄与する。
【０１５５】
次に、隣接基地局が第１の基地局に関して非同期的に動作中であることについて考察する。この隣接基地局は第１の基地局に関して非同期的であるため、隣接基地局の意図的アップリンクヌル時間間隔は、第１の基地局の意図的ヌル時間間隔と必ずしも重なり合わない。従って、隣接基地局のアップリンクシグナリングも、第１の基地局の意図的アップリンクヌル期間中に第１の基地局によって測定される測定雑音Ｗに寄与する。
【０１５６】
特性Ｗ対α曲線１５０６は、最低干渉レベルを表す所定のレベルのその他のセル干渉１５０８に対応する。曲線１５０６の飽和に近い点において動作する場合は、αの増大は、雑音Ｗの低減の有意な向上を提供しない。αの増大は、ピア・ツー・ピアシグナリングに関する送信電力を制限することに対応する。従って、該状態下においては、ピア・ツー・ピア送信電力レベルをさらに制限することは、セルラー無線端末からのアップリンク信号の受信を有意に向上させない。しかしながら、曲線１５０６の傾きに関して高い値を有する点において動作する場合は、αの小さい増大が、雑音Ｗのレベルの有意な低下を生じさせることができる。該状態下においては、セルに基づく無線端末からのアップリンク信号の復元を向上させるようにαを小さくするのが有益になることがある。例えば、ピア・ツー・ピア送信電力レベルを少々抑制する（ｔｈｒｏｔｔｌｅ  ｂａｃｋ）ことは、該状態下においては、アップリンクシグナリング復元及び／又はスループットの有意な向上が得られることになる。
【０１５７】
一般的には、様々な実施形態においては、良好な広域の、例えばセルに基づく通信受信が、ピア・ツー・ピアシグナリングよりも優先される。しかしながら、特定のレベルの希望されるセルに基づくアップリンク受信品質を考慮してピア・ツー・ピア通信スループットを最大化するのが望ましい。Ｗ対α特性曲線は、その他のセル干渉の関数として変化する。その他のセル干渉は、第１のセル動作と独立して変化することができ、時々変化する。例えば、状態、隣接セル内におけるセルに基づく無線端末ユーザー数、隣接セルアップリンクトラフィック負荷、等に起因して、第１の基地局によって経験される他方のセル干渉は、異なるレベルに変化する可能性がある。図２１の作図１６００は、図２０のその他のセル干渉レベル１５０８と比較して異なるレベルのその他のセル干渉１６０８を示す。さらに、図２１は、特性曲線１５０６と比較した異なる特性曲線１６０６を示す。
【０１５８】
図２２は、雑音測定に応じて様々な実施形態において用いられる電力制御係数αの選択を調整する典型的方法を示す。図２２は、雑音Ｗを縦軸１５０２、αを横軸１５０４に示した作図１７００であり、特性曲線１５０６に対応する。動作時においては、第１の基地局は、第１の基地局が、図２０のその他のセル干渉レベル１５０８に対応する特性曲線１５０６であって、図２１の曲線１５０６及び曲線１６０６を含む曲線グループの１つの曲線である特性曲線１５０６上において動作中であることを知らないことがある。
【０１５９】
第１の基地局は、αを初期値α１１７０２に設定し、初期値α１１７０２がブロードキャストされる。値α１１７０２は、ピア・ツー・ピア送信電力を制御するために第１の基地局のセル内のピア・ツー・ピア無線端末によって用いられる。第１の基地局の意図的アップリンクヌル期間中において、第１の基地局は、受信雑音レベルＷをＷ１１７０６として測定する。次に、第１の基地局は、α１の値を量Δα１７０８だけ意図的に変更してα２１７１０を入手する。これは、特性曲線１５０６において受信雑音レベルを意図的に異なる点に（１７０４から１７１２に）ドライブするために用いられる制御された入力である。第１の基地局は、パラメータα２１７１０をブロードキャストする。値α２１７２０は、ピア・ツー・ピア送信電力を制御するために第１の基地局のセル内のピア・ツー・ピア無線端末によって用いられる。第１の基地局の意図的アップリンクヌル期間中において、第１の基地局は、受信雑音レベルＷをＷ２１７１４として測定する。第１の基地局は、Ｗの変化、ΔＷ１７１６を測定する。第１の基地局は、αに関する新値を、入力ドライブ値Δα、測定された応答ΔＷ、及び何らかの格納された干渉バジェット情報の関数として決定する。幾つかの実施形態においては、第１の基地局は、αに関する新値を、少なくとも１つの雑音測定点、例えばＷ１又はＷ２の関数として決定する。この例においては、第１の基地局は、ΔＷが点１７１８によって示されるように小さい場合は、αに関する新値、α３をα３＝α１−Δαに設定し、他方、第１の基地局は、ΔＷが点１７２０によって示されるように大きい場合はαに関する新値、α３をα３＝α２＋Δαに設定し、小さい及び大きいに関する決定は、予め決められた格納された干渉バジェット情報に関する決定である。次に、電力制御係数α３が、送信電力レベルを制御するためにセル内においてピア・ツー・ピア無線端末によって用いるために第１の基地局によってブロードキャストされる。
【０１６０】
図２３は、広域ネットワークに関する、例えばセルラー通信に関する、時分割複信（ＴＤＤ）を利用する幾つかの実施形態における典型的帯域幅の使用を示す図１８００である。例えば基地局に対応する広域ネットワークに関して、例えばアップリンクとダウンリンクとの間の交互パターンで同じ周波数帯域が共有される。例えば、広域、例えばセルラー通信、に関して用いられるＴＤＤ帯域は、時間ライン１８０２に沿って、ブロック（１８０４、１８０６、１８０８、１８１０）によってそれぞれ示されるように（アップリンク、ダウンリンク、アップリンク、ダウンリンク）に関して用いられる。典型的なセルに基づく活動に加えて、基地局は、典型的には広域アップリンクシグナリング用に予約された間隔中にピア・ツー・ピアブロードキャスト信号、例えばビーコン信号及び／又はその他のブロードキャスト信号、を送信する。このことは、ブロック（１８０４、１８０８）に関する時間間隔にそれぞれ対応する信号（１８１２、１８１４）によって表される。さらに、ピア・ツー・ピアブロック（１８１６、１８１８）と同時並行するセルラーアップリンクブロック（１８０４、１８０８）によって示されるように、広域ネットワーク、例えばセルラーアップリンク、に関して用いるように指定された時間間隔がピア・ツー・ピアシグナリングに関しても用いられ、同じＴＤＤ帯域が用いられる。
【０１６１】
図２４は、広域ネットワークに関する、例えばセルラー通信に関する、周波数分割複信（ＦＤＤ）を利用する幾つかの実施形態における典型的帯域幅の使用を示す図１９００である。例えば基地局に対応する広域ネットワークに関して、異なる周波数帯域がアップリンク及びダウンリンクによって用いられる。この典型的実施形態においては、ＦＤＤ広域アップリンク帯域は、ブロック１９０４によって表され、ＦＤＤ広域ダウンリンク帯域は、周波数軸１９０２に沿ってブロック１９０６によって表される。幾つかの実施形態においては、アップリンク及びダウンリンク帯域は隣接する。幾つかの実施形態においては、アップリンク及び／又はダウンリンク帯域は、隣接しない部分を含む。幾つかの実施形態においては、アップリンク帯域及びダウンリンク帯域のうちの１つの少なくとも一部分が、アップリンク帯域及びダウンリンク帯域のうちの他方の１つの２つの異なる部分間に含められる。
【０１６２】
ＦＤＤ広域アップリンク帯域内における典型的なセルに基づくアップリンクシグナリングに加えて、帯域は、ピア・ツー・ピアシグナリングに関連するその他の活動に関して用いられる。図２４において、ＦＤＤ広域アップリンク帯域１９０４は、基地局によってピア・ツー・ピアブロードキャスト信号１９０８を送信するためにも用いられ、例えば、ビーコン信号及び／又はその他のブロードキャスト信号が、ピア・ツー・ピア無線端末によって用いるために基地局によって送信される。ピア・ツー・ピア無線端末は、ＦＤＤ広域アップリンク帯域１９０４に対応する周波数軸１９０２上に位置する、ブロック１９１０によって示される同じ帯域をピア・ツー・ピアシグナリングに関して使用する。
【０１６３】
図２５は、様々な実施形態により実装された典型的多モード無線端末通信デバイス２０００の図である。多モード無線通信デバイス２０００は、広域ネットワーク通信及びピア・ツー・ピア通信の両方をサポートする。幾つかの実施形態においては、通信デバイス２０００は、広域ネットワーク通信に関しては周波数分割複信及びピア・ツー・ピア通信に関しては時分割複信を用いる。幾つかの該実施形態においては、ピア・ツー・ピア通信に関して用いられる周波数帯域は、アップリンクＷＡＮ通信に関して用いられるのと同じ周波数帯域である。無線通信デバイス２０００は、様々な要素がデータ及び情報を交換することができるバス２０１０を介してひとつに結合された無線トランシーバモジュール２００２と、ユーザーＩ／Ｏデバイス２００４と、プロセッサ２００６と、メモリ２００８と、を含む。
【０１６４】
ユーザーＩ／Ｏデバイス２００４は、例えば、マイク、キーボード、キーパッド、カメラ、スイッチ、マウス、スピーカー、ディスプレイ、等を含む。ユーザーＩ／Ｏデバイス２００４は、無線通信デバイス２０００のユーザーが、データ／情報を入力すること、出力されたデータ／情報にアクセスすること、及び通信デバイス２０００の少なくとも幾つかの機能、例えば、通信デバイスをＷＡＮ動作モードにする、通信デバイスをピア・ツー・ピア動作モードにする、通信デバイスをＷＡＮ通信及びピア・ツー・ピア通信の両方を許容する動作モードにする、等、を制御することを可能にする。ユーザーがピア・ツー・ピア通信を選択する幾つかの実施形態においては、通信デバイスは、反復的に、通信中のＷＡＮページング信号の有無をモニタリングできるようにするために自動的にＷＡＮ動作モードに切り換わる。ユーザーが通信デバイスをＷＡＮシグナリング及びピア・ツー・ピアシグナリングの両方をサポートする動作モードにする幾つかの実施形態においては、通信デバイスは、受信優先度に関する考慮事項及びハンドオフに関する考慮事項のうちの少なくとも１つの関数として自動的にモード間で切り換わる。
【０１６５】
メモリ２００８は、ルーチン２０５０と、データ／情報２０５２と、を含む。プロセッサ２００６、例えばＣＰＵ、は、無線通信デバイス２０００の動作を制御し、方法を実装するためにメモリ２００８内のルーチン２０５０を実行し、データ／情報２０５２を用いる。
【０１６６】
無線トランシーバモジュール２００２は、デュプレクサモジュール２０２４と、送信機チェーン２００１と、第１の受信機チェーン２００３と、第２の受信機チェーン２００５と、スイッチ２０３２と、アナログ−デジタル変換器（ＡＤＣ）２０３４と、デジタル信号プロセッサ（ＤＰＳ）２０１６と、を含む。ＤＰＳ２０１６は、デジタル送信信号モジュール２０４２と、モード制御モジュール２０４４と、デジタル受信信号モジュール２０４６と、を含む。送信機チェーン２００１は、第１のＲＦ周波数、例えばｆＵＬによって表される周波数、を有する送信信号を生成するために用いられる。第１の受信機チェーン２００３は、第２のＲＦ周波数、例えばｆＤＬによって表される周波数、を有する受信信号の処理用である。第２の受信機チェーン２００５は、第１のＲＦ周波数、例えばｆＵＬ２０２６によって表される周波数、を有する受信信号の処理用である。
【０１６７】
送信機チェーン２００１は、デジタル−アナログ変換器（ＤＡＣ）２０１８と、ミキサー２０２０と、電力増幅器（ＰＡ）２０２２と、を含む。デジタル送信信号モジュール２０４２は、デジタル信号をＤＡＣ２０１８に出力し、ＤＡＣ２０１８は、デジタル信号をアナログ信号に変換する。アナログ信号は、ミキサー２０２０に入力され、ミキサー２０２０は、アップリンク周波数（ｆＵＬ）例えば、広域ネットワークアップリンク通信帯域搬送波周波数、である入力２０２６も有する。ミキサー２０２０の出力は、電力増幅器２０２２に入力され、電力増幅器２０２２は、受信された信号を増幅し、増幅された信号をデュプレクサモジュール２０２４に出力する。デュプレクサモジュール２０２４は、通信デバイス２０００が信号を送信するアンテナ２０１２に送信するために受信された増幅信号を結合する。送信された信号は、無線通信デバイス２０００がＷＡＮ動作モードで動作中のときにはアップリンク信号を含み、通信デバイスがピア・ツー・ピア動作モードで動作中のときにはピア・ツー・ピア信号を含む。
【０１６８】
第１の受信機チェーン２００３は、第１の帯域通過フィルタ（ＢＰＦ１２０２８）と、ミキサー２０３０と、を含み、第２の受信機チェーン２００５は、第２の帯域通過フィルタ（ＢＰＦ２２０３８）と、ミキサー２０４０と、を含む。無線通信デバイス２０００がＷＡＮ信号を受信するために動作されるときには、モード制御モジュール２０４４は、第１の受信機チェーン２０３０の出力をＡＤＣ２０３４に結合するようにスイッチ２０３２を制御する。代替として、無線通信デバイスがピア・ツー・ピア信号を受信するために動作されるときには、モード制御モジュール２０４４は、第２の受信機チェーン２００５の出力をＡＤＣ２０３４に結合するようにスイッチ２０３２を制御する。
【０１６９】
スイッチ２０３２が、第１の受信機チェーン２００３をＡＤＣ２０３４に結合するようにモード制御モジュール２０４４によって制御されていると仮定する。基地局からのダウンリンク信号は、アンテナ２０１２を介して受信され、デュプレクサモジュール２０２４を介してＢＰＦ１２０２８に結合される。帯域通過フィルタ１  ２０２８の出力は、ミキサー２０３０に入力される。ミキサー２０３０への他の入力は、ダウンリンク周波数（ｆＤＬ）２０３６、例えば広域ネットワークダウンリンク通信帯域搬送波周波数、である。ミキサーモジュール２０３０は、搬送波周波数を除去し、例えばアナログ帯域信号を入手する。出力信号、例えばアナログ帯域信号は、スイッチ２０３２を介してＡＤＣ変換器２０３４に供給される。ＡＤＣ変換器２０３４は、入力信号を処理してデジタル信号表現を入手し、デジタル信号表現は、デジタル受信信号モジュール２０４６に供給される。
【０１７０】
次に、スイッチ２０３２が、第２の受信機チェーン２００３をＡＤＣ２０３４に結合するようにモード制御モジュール２０４４によって制御されていると仮定する。ピア・ツー・ピアモードで動作中の無線通信デバイスからのピア・ツー・ピア信号が、アンテナ２０１４を介して受信されてＢＰＦ２２０３８に結合される。帯域通過フィルタ２  ２０３８の出力は、ミキサー２０４０に入力される。ミキサー２０４０への他の入力は、アップリンク周波数（ｆＵＬ）２０２６、例えば同じくピア・ツー・ピアシグナリングに関して利用中の広域ネットワークアップリンク通信帯域搬送波周波数、である。ミキサーモジュール２０４０は、搬送波周波数を除去し、例えばアナログ帯域信号を入手する。出力信号、例えばアナログ帯域信号、は、スイッチ２０３２を介してＡＤＣ変換器２０３４に供給される。ＡＤＣ変換器２０３４は、入力信号を処理してデジタル信号表現を入手し、デジタル信号表現は、デジタル受信信号モジュール２０４６に供給される。
【０１７１】
モード制御モジュール２０４４は、第１の受信機チェーンの使用と第２の受信機チェーンの使用（２００３、２００５）を、所定の時間に用いるためにモード制御モジュール２０４４が第１及び第２の動作モードのうちのいずれを選択するかの関数として切り換える。様々な実施形態においては、第１の動作モードは、周波数分割複信動作モード、例えば広域ネットワークＦＤＤ動作モード、であり、第２の動作モードは、ピア・ツー・ピア通信動作モード、例えば時分割複信（ＴＤＤ）ピア・ツー・ピア動作モード、である。
【０１７２】
幾つかの実施形態においては、モード制御モジュール２０４４は、切り換えを、通信デバイス２０００によって実装された広域ネットワーク受信スケジュールの関数として自動的に制御する。幾つかの該実施形態においては、スケジューリング情報は、どの時点で広域ネットワークページングメッセージを多モード通信デバイス２０００によって受信可能であるかを示し、前記モード制御モジュール２０４４は、前記デバイス２０００が、広域ネットワークページングメッセージを多モード通信デバイス２０００によって受信することができる期間中に第１の動作モード、例えばＷＡＮ動作モード、において動作するように制御する。幾つかの実施形態においては、モード制御モジュール２０４４は、受信されたユーザーによる入力選択に応じてモードを切り換えることをデバイス２０００に行わせる。幾つかの実施形態においては、モード制御モジュール２０４４は、受信優先度情報に応じてモードを切り換えることをデバイス２０００に行わせる。様々な実施形態において、モード制御モジュール２０４４は、ハンドオフインジケータ信号に応じてモードを切り換えることをデバイス２０００に行わせる。幾つかの実施形態においては、モード制御モジュール２０４４は、スケジュール情報に応じてモードを切り換えることをデバイス２０００に行わせ、例えば、干渉を低減させるために予想される高ＷＡＮシグナリングの一定の時間中にピア・ツー・ピア通信が制限される。幾つかの実施形態においては、モード制御モジュール２０４４は、位置情報に応じてモードを切り換えることをデバイス２０００に行わせ、例えば、幾つかの位置をセルカバレッジエリア外に所在させることができ又はその他の位置が基地局に近すぎるため基地局受信機における干渉上の考慮事項に起因してアップリンク周波数帯域におけるシグナリングを許可することができない場合があり、又はサービスプロバイダが特定の領域においてＷＡＮシグナリング又はピア・ツー・ピアシグナリングのうちの１つを用いる権限を有さない。幾つかの実施形態においては、モード制御モジュール２０４４は、維持されているリンクにおける検出されたチャネル品質の変化に応じてモードを切り換えることをデバイス２０００に行わせる。
【０１７３】
ルーチン２０５０は、通信ルーチン２０５４と、無線端末制御ルーチン２０５６と、を含む。通信ルーチン２０５４は、無線通信デバイス２０００によって用いられる様々な通信プロトコルを実装する。無線端末制御ルーチン２０５６は、Ｉ／Ｏモジュール２０５８と、周波数帯域モジュール２０６０と、ページングモジュール２０６２と、広域ネットワーク制御モジュール２０６４と、ピア・ツー・ピア制御モジュール２０６６と、受信優先度モジュール２０６８と、ハンドオフモジュール２０７０と、を含む。データ／情報２０５２は、スケジュール情報２０７２と、ユーザーモード選択情報２０７４と、広域ネットワーク信号２０７６と、ピア・ツー・ピア信号２０７８と、ハンドオフインジケータ信号２０８０と、現在のモードを識別する情報２０８２と、を含む。
【０１７４】
Ｉ／Ｏモジュール２０５８は、ユーザーＩ／Ｏデバイス２００４の動作を制御し、ユーザーモード選択情報２０７４、例えば、ユーザーによるＷＡＮシグナリングを用いることの選択、ユーザーによるピア・ツー・ピアシグナリングをイネーブルにすることの選択、受信優先度情報及び／又はハンドオフ情報の関数としてＷＡＮ動作とピア・ツー・ピア動作との間で自動的に切り換わるモードにデバイスをすることのユーザー選択、等を受信する。
【０１７５】
周波数帯域モジュール２０６０は、送信機チェーン２００１及び第２の受信機チェーン２００５によって用いられる周波数入力信号ｆＵＬ２０２６を選択及び設定し、第１の受信機チェーン２００３によって用いられるｆＤＬ２０３６を設定する。
【０１７６】
ページングモジュール２０６２は、ページングに関連する動作を制御する。幾つかの実施形態においては、ピア・ツー・ピア動作がイネーブルにされ、無線通信デバイス２０００が主にピア・ツー・ピアシグナリングを用いて動作中であるときには、通信デバイス２０００は、反復的スケジュールにおいてＷＡＮページング間隔中にＷＡＮページング信号を受信するために切り換えられる。
【０１７７】
ＷＡＮ制御モジュール２０６４は、ＷＡＮモードにあるときに動作を制御し、例えば、デジタル送信信号モジュール２０４２がネットワークアタッチメントポイントとして働いている基地局に通信されるアップリンク信号を生成するように制御し、デジタル受信信号モジュール２０４６が基地局からの受信されたダウンリンク信号を処理するように制御する。
【０１７８】
ピア・ツー・ピア制御モジュール２０６６は、ピア・ツー・ピアモードにあるときに動作を制御し、例えば、デジタル送信信号モジュールがピア・ツー・ピアモードで動作中のその他の無線端末に送信されるピア・ツー・ピア信号を生成するように制御し、デジタル受信信号モジュール２０４６がピア・ツー・ピア動作モードで動作中のその他の無線端末からの受信されたピア・ツー・ピア信号を処理するように制御する。
【０１７９】
受信優先度モジュール２０６８は、所定の時間においてＷＡＮネットワーク通信が優先すべきか又はピア・ツー・ピアシグナリングが優先すべきかを決定する。モジュール２０６８による決定は、モード制御モジュール２０４４によって用いられ、モード制御モジュール２０４４は、ＷＡＮ通信又はピア・ツー・ピア通信をそれぞれ実装するために交互の受信機チェーン（２００３、２００５）の間における切り換えを制御する。従って、モード制御モジュール２０４４は、受信優先度情報の関数としてＷＡＮモードとピア・ツー・ピアモードの間で切り換わる。例えば、幾つかの実施形態においては、通常は、ピア・ツー・ピアシグナリングよりもＷＡＮシグナリングが優先される。しかしながら、少なくとも幾つかのタイプのユーザー及び／又は幾つかの型のシグナリングに関しては、広域ネットワークシグナリングよりもピア・ツー・ピアシグナリング、例えば緊急サービスに対応するするユーザー及び／又は信号、が優先される。他の例として、競合するレーテンシー上の考慮事項及び／又はサービスレベルの評価に基づいて優先度が与えられる。
【０１８０】
ハンドオフモジュール２０７０は、ハンドオフの一部分に関してピア・ツー・ピアシグナリング又はＷＡＮシグナリングのいずれを用いるかを決定する。ハンドオフモジュール２０７０は、ハンドオフインジケータ信号２０８０を生成し、モード制御モジュール２０４４は、ハンドオフインジケータ信号２０８０に応じてモード切り換えを行わせる。幾つかのハンドオフ制御信号２０８０は、ピア・ツー・ピア動作モードから広域ネットワーク動作モードへの切り換えを行わせるためのピア・ツー・ピア通信リンクから広域ネットワーク通信リンクへのハンドオフを示す。その他のハンドオフ制御信号２０８０は、広域ネットワーク動作モードからピア・ツー・ピア動作モードへの切り換えを行わせるための広域ネットワーク通信リンクからピア・ツー・ピア通信リンクへのハンドオフを示す。
【０１８１】
スケジュール情報２０７２は、ＷＡＮスケジュール情報２０８４と、ピア・ツー・ピアスケジュール情報２０８６と、を含む。ＷＡＮスケジュール情報２０８４は、アップリンクタイミング／周波数構造を定義する情報と、ダウンリンクタイミング／周波数構造を定義する情報と、を含む。ＷＡＮスケジューリング情報２０８４は、ＷＡＮページング間隔を識別する情報を含む。幾つかの実施形態においては、ピア・ツー・ピア動作は、無線通信デバイスのＷＡＮページングアクセスをサポートするために少なくとも幾つかのＷＡＮページング間隔中に中断される。ピア・ツー・ピアスケジュール情報２０８６は、反復的ピア・ツー・ピアタイミング構造内における異なるピア・ツー・ピア間隔、例えばピア発見間隔、ピア・ツー・ピアページング間隔、及びトラフィック間隔、を識別する情報を含む。
【０１８２】
ユーザーモード選択情報２０７４は、ユーザーによって指令又は要求されたモード選好、例えば広域ネットワークモード、ピア・ツー・ピアモード、又は通信デバイス２０００が例えば信号品質、優先度、負荷及び／又はハンドオフ情報の関数としてＷＡＮモードとピア・ツー・ピアモードの間で自動的に交互するのを可能にするモード、を識別するＩ／Ｏモジュール２０５８からの情報を含む。
【０１８３】
ＷＡＮ信号は、送信するための受信されたダウンリンク信号と、アップリンク信号と、を含む。基地局からの受信されたダウンリンク信号は、例えば、ビーコン信号と、パイロットチャネル信号と、同期化信号と、電力制御信号と、タイミング制御信号と、ページング信号と、割り当て信号と、トラフィックチャネル信号と、を含む。アップリンク信号は、例えば、アクセス信号と、タイミング制御信号と、エアリンク資源要求信号及びチャネル状態リポートを含む専用制御チャネル信号と、ページ要求信号と、アップリンクトラフィックチャネル信号と、を含む。
【０１８４】
ピア・ツー・ピア信号は、ピア・ツー・ピア送信信号と、ピア・ツー・ピア受信信号と、を含む。典型的ピア・ツー・ピア送信信号は、例えば、通信デバイス２０００を識別するユーザービーコン信号と、ピア・ツー・ピアページング信号と、ピア・ツー・ピアトラフィック要求信号と、ピア・ツー・ピアトラフィック信号と、を含む。典型的ピア・ツー・ピア受信信号は、例えば、ローカルな近隣に所在するその他の無線通信デバイスからのユーザービーコンと、ピア・ツー・ピアページング信号と、ピア・ツー・ピアトラフィック要求信号と、ピア・ツー・ピアトラフィック信号と、を含む。
【０１８５】
ハンドオフインジケータ信号２０８０は、ハンドオフモジュール２０７０から出力されてモード制御モジュール２０４４によって用いられる。現行モード情報２０８２は、モード制御信号２０４８に対応するモード制御モジュール２０４４によって設定された現在のモードを示す。
【０１８６】
幾つかの実施形態においては、第１の受信機チェーン２００３又は第２の受信機チェーン２００５のいずれを使用中であるかにかかわらず同じアンテナが用いられる。幾つかの実施形態においては、第１の受信機チェーン２００３及び第２の受信機チェーン２００５のうちの１つをデュプレクサモジュール２０２４に結合するための追加のスイッチが用いられ、追加のスイッチの動作は、スイッチ２０３２の動作と調整される。
【０１８７】
様々な実施形態において、デュプレクサモジュール２０２４は用いられず、別個のアンテナが送信機及び受信機に関して用いられる。幾つかの実施形態においては、第１の受信機チェーン２００３及び第２の受信機チェーン２００５のうちの１つを受信アンテナに結合するための追加のスイッチが用いられ、追加のスイッチの動作は、スイッチ２０３２の動作と調整される。
【０１８８】
幾つかの実施形態においては、第１及び第２の帯域通過フィルタは、異なるハードウェアデバイスである。幾つかの実施形態においては、第１及び第２の帯域通過フィルタはプログラミング可能であり、異なるフィルタを実装するようにプログラミングされる。
【０１８９】
他の実施形態においては、ミキサー（２０３０、２０４０）の代わりに単一のミキサーが用いられ、周波数入力は、モード制御信号の関数としてｆＤＬとｆＵＬとの間で制御可能な形で切り換えられ、帯域通過フィルタは、モード制御信号の関数として切り換えられる。
【０１９０】
幾つかの実施形態においては、ＤＳＰ２０１６に含まれる様々な要素、例えばモード制御モジュール２０４４、がルーチン２０５０内に含まれる。幾つかの実施形態においては、メモリ２００８内に含まれる様々な要素が、無線トランシーバモジュール２００２内に含まれる。幾つかの実施形態においては、個々の無線送信機モジュール及び個々の無線受信機モジュールが無線トランシーバモジュール２００２の代わりに実装される。
【０１９１】
図２６は、様々な実施形態による、典型的な周波数帯域、及び広域ネットワーク通信の使用とピア・ツー・ピア通信の使用との間における共有周波数帯域の使用を示す。広域ネットワーク通信帯域として用いられる帯域が、同じくピア・ツー・ピアＴＤＤ受信機帯域として及びピア・ツー・ピアＴＤＤ送信機帯域として用いられる。一例として、図２６に示される帯域は、図２５の多モード無線通信デバイス２０００によって利用することができ、例えば、一対の異なるＷＡＮアップリンク及びダウンリンク通信帯域を利用可能であり及び／又は異なる所在位置及び／又は異なる時間において用いられる。
【０１９２】
横軸２１０１は、周波数を表す。周波数ｆＵＬ１２１０３に対応して、広域ネットワークアップリンク周波数分割複信帯域２１０２、ピア・ツー・ピア時分割複信送信帯域２１０６及びピア・ツー・ピア時分割複信受信帯域２１０８が存在する。広域ネットワークアップリンク周波数分割複信帯域２１０２は、広域ネットワークダウンリンク周波数分割複信帯域２１０４と対である。周波数ｆＤＬ１２１０５に対応して、広域ネットワークダウンリンク周波数分割複信帯域２１０４が存在する。
【０１９３】
同様に、周波数ｆＵＬ２２１１３に対応して、広域ネットワークアップリンク周波数分割複信帯域２１１２、ピア・ツー・ピア時分割複信送信帯域２１１６及びピア・ツー・ピア時分割複信受信帯域２１１８が存在する。広域ネットワークアップリンク周波数分割複信帯域２１１２は、広域ネットワークダウンリンク周波数分割複信帯域２１１４と対である。周波数ｆＤＬ２２１１５に対応して、広域ネットワークダウンリンク周波数分割複信帯域２１１４が存在する。
【０１９４】
同様に、周波数ｆＵＬ３２１２３に対応して、広域ネットワークアップリンク周波数分割複信帯域２１２２、ピア・ツー・ピア時分割複信送信帯域２１２６及びピア・ツー・ピア時分割複信号受信帯域２１２８が存在する。広域ネットワークアップリンク周波数分割複信帯域２１２２は、広域ネットワークダウンリンク周波数分割複信帯域２１２４と対である。周波数ｆＤＬ３２１２５に対応して、広域ネットワークダウンリンク周波数分割複信帯域２１２４が存在する。
【０１９５】
図２５の典型的デバイス２０００について考察する。通信デバイスは、図２６の３つのＷＡＮ周波数対のうちの１つを用いることを決定する。例えば、第２の対が選択されたことについて考察する。ＷＡＮ及びピア・ツー・ピア送信シグナリングの両方に関して用いられる送信機チェーン２００１、及びピア・ツー・ピア受信に関して用いられる第２の受信機チェーン２００５が、ｆＵＬ２に同調される。ＷＡＮ信号を受信するために用いられる第１の受信機チェーン２００３は、ｆＤＬ２に同調される。
【０１９６】
図２７は、様々な実施形態による典型的多モード無線通信デバイス動作方法の流れ図と、典型的タイミング構造２２５０情報と、を含む。典型的方法の動作は、ステップ２２０２において開始し、多モード無線通信デバイスに電源が投入されて初期設定される。多モード無線通信デバイスは、例えば図２５のデバイス２０００である。動作は、開始ステップ２２０２からステップ２２０４に進む。ステップ２２０４において、無線デバイスは、自己の送信機チェーンを第１の周波数帯域に同調させ、前記送信機チェーンは、アップリンク信号及びピア・ツー・ピア信号の両方を送信するために用いられる。ステップ２２０６において、無線デバイスは、自己の第１の受信機チェーンを第２の周波数帯域に同調させ、前記第２の周波数帯域は、前記第１の周波数帯域と異なり、前記第１の受信機チェーンは、ＷＡＮダウンリンク信号を受信するために用いられる。ステップ２２０８において、無線デバイスは、自己の第２の受信機チェーンを第１の周波数帯域に同調させ、前記第２の受信機チェーンは、ピア・ツー・ピア信号を受信するために用いられる。動作は、ステップ２２０８からステップ２２１０に進む。
【０１９７】
ステップ２２１０において、無線デバイスは、オペレータによるピア・ツー・ピアモードイネーブルの選択を示す入力を受信する。次に、ステップ２２１２において、無線通信デバイスは、ピア・ツー・ピアモードを使用すべき主動作モードとしてイネーブルにする。動作は、ステップ２２１２からステップ２２１４に進む。ステップ２２１４において、無線デバイスは、予め決められたスケジュールにおけるＷＡＮページング間隔の関数としてピア・ツー・ピアモードとＷＡＮ動作モードの間で自動的に切り換わる。例えば、図２５の多モード無線通信デバイス２０００について考察し、ページング間隔が発生していることをスケジュールが示すときには、モード制御モジュール２０４４は、第１の受信機チェーン２００３をＡＤＣ２０３４に結合するようにスイッチ２０３２を制御する。しかしながら、ページング間隔が発生していないことをスケジュールが示すときには、モード制御モジュール２０４４は、第２の受信機チェーン２００５をＡＤＣ２０３４に結合するようにスイッチ２０３２を制御する。
【０１９８】
図２７の図２２５０は、典型的な反復的タイミング構造内における時間軸２２５２に沿った、典型的ＷＡＮページング間隔（２２５４、２２５８）及び典型的ピア・ツー・ピア間隔（２２５６、２２６０）を識別する典型的タイミング構造情報を示す。
【０１９９】
図２８は、様々な実施形態による典型的多モード無線通信デバイス動作方法の流れ図２５００である。多モード無線通信デバイスは、例えば図２５のデバイス２０００である。動作は、ステップ２５０２において開始し、多モード通信デバイスに電源が投入されて初期設定され、動作は、ステップ２５０４に進む。ステップ２５０４において、無線端末は、第１の周波数分割複信アップリンク／ダウンリンク対、例えば関連づけられたチューナー周波数設定を有する一対のＦＤＤ周波数帯域、を複数の代替対の中から選択する。図２６の図２１００は、３つの典型的なＦＤＤアップリンク／ダウンリンク対を示す。
【０２００】
動作は、ステップ２５０４からステップ２５０６に進み、ステップ２５０６において、通信デバイスは、第１のＲＦ周波数を有する送信信号を生成するために第１の送信機チェーンを同調させ、ステップ２５０８において、通信デバイスは、第２のＲF周波数を有する受信信号を処理するために第１の受信機チェーンを同調させる。動作は、ステップ２５０８からステップ２５１０に進み、ステップ２５１０において、通信デバイスは、前記第１のＲＦ周波数を有する受信信号を処理するために第２の受信機チェーンを同調させる。幾つかの実施形態においては、ステップ２５０６，２５０８及び２５１０のうちの１つ以上が並行して実行される。様々な実施形態においては、第１のＲＦ周波数は、ステップ２５０４において選択されたＦＤＤ対のＦＤＤダウンリンクに対応し、第２のＲＦ周波数は、ステップ２５０４において選択されたＦＤＤ対のＦＤＤダウンリンクに対応する。
【０２０１】
動作は、ステップ２５１０からステップ２５１２に進む。ステップ２５１２において、通信デバイスは、モード、例えばピア・ツー・ピア通信モード又は広域ネットワーク通信モード、に関するユーザーの選択を識別するユーザー入力を受信する。動作は、ステップ２５１２からステップ２５１４に進む。ステップ２５１４において、通信デバイスは、ステップ２５１２のユーザー選択によってピア・ツー・ピアモードがイネーブルにされているかどうかに依存して異なる経路を進む。
【０２０２】
ピア・ツー・ピアモードがイネーブルにされる場合は、動作は、ステップ２５１４からステップ２５１６に進む。ピア・ツー・ピアモードがイネーブルにされない場合は、動作は、ステップ２５１４からステップ２５１８に進み、ステップ２５１８において、通信デバイスは、前記送信機チェーン及び前記第１の受信機チェーンを用いて、第２の動作モード、例えば、広域ネットワーク動作モード、において動作する。
【０２０３】
ステップ２５１６に戻り、ステップ２５１６において、通信デバイスは、所定の時間に用いるためにモード制御モジュールが第１のモード及び第２の動作モードのうちのいずれを選択するかの関数として前記第１の受信機チェーンの使用と第２の受信機チェーンの使用を切り換える。この切り換えは、様々な実施形態においては、ユーザーの介在なしで自動的に又は半自動的に行われる。ステップ２５１６は、サブステップ２５２０と、２５２４と、２５２６と、２５２８と、２５３０と、２５３２と、を含む。サブステップ２５２０において、通信デバイスは、通信デバイスによって実装されたＷＡＮ受信スケジュールにおいて時間間隔を識別し、次にステップ２５２４において、通信デバイスは、ＷＡＮ受信スケジュールにおける識別された時間間隔がＷＡＮページング間隔を示すかどうかを決定する。ページング間隔が示される場合は、動作は、サブステップ２５２４からサブステップ２５２６に進み、その他の場合は、動作は、サブステップ２５２４からサブステップ２５２８に進む。
【０２０４】
サブステップ２５２６に戻り、サブステップ２５２６において、通信デバイスのモード制御モジュールは、第１のモード、例えばＦＤＤ  ＷＡＮ動作モード、を選択し、サブステップ２５３０において、通信デバイスは、第１の受信機チェーンを用いるために切り換わる。サブステップ２５２８に戻り、サブステップ２５２８において、通信デバイスのモード制御モジュールは、第２のモード、例えばピア・ツー・ピア通信動作モード、を選択し、サブステップ２５３２において、通信デバイスは、第２の受信機チェーンを用いるために切り換わる。
【０２０５】
動作がサブステップ２５３０を経ていた場合は、動作は、ステップ２５３４に進み、他方、動作がサブステップ２５３２を経ていた場合は、動作は、ステップ２５３６に進む。ステップ２５３４において、通信デバイスは、第１の動作モード、例えばＦＤＤ  ＷＡＮモード、において動作され、第１の受信機チェーンを用いてＷＡＮページング信号を受信する。ステップ２５３６において、通信デバイスは、第２の受信機チェーン及び送信機チェーンを用いて、第２の動作モード、例えばピア・ツー・ピア動作モード、において動作される。様々な実施形態においては、ユーザーがピア・ツー・ピア動作をイネーブルにしたときには、通信デバイスは、圧倒的に、第２の受信機チェーンを用いて第２のモードで動作する。しかしながら、ＷＡＮタイミング構造の少なくとも幾つかの時間間隔中においては、通信デバイスは、第１の受信機チェーンを用いて第１のモードで動作する。動作は、ステップ２５３４及びステップ２５３６のうちの１つからステップ２５１６に進み、他の時間間隔に関するモード及び切り換えを識別及び考慮する。
【０２０６】
図２９は、様々な実施形態による典型的多モード無線通信デバイス動作方法の流れ図２６００である。多モード無線通信デバイスは、例えば図２５のデバイス２０００である。動作は、ステップ２６０２において開始し、多モード通信デバイスに電源が投入されて初期設定され、ステップ２６０４に進む。ステップ２６０４において、無線端末は、第１の周波数分割複信アップリンク／ダウンリンク対、例えば関連づけられたチューナー周波数設定を有する一対のＦＤＤ周波数帯域、を複数の代替対の中から選択する。図２６の図２１００は、３つの典型的なＦＤＤアップリンク／ダウンリンク対を示す。
【０２０７】
動作は、ステップ２６０４からステップ２６０６に進み、ステップ２６０６において、通信デバイスは、第１のＲＦ周波数を有する送信信号を生成するために第１の送信機チェーンを同調させ、ステップ２６０８において、通信デバイスは、第２のＲＦ周波数を有する受信信号を処理するために第１の受信機チェーンを同調させる。動作は、ステップ２６０８からステップ２６１０に進み、ステップ２６１０において、通信デバイスは、前記第１のＲＦ周波数を有する受信信号を処理するために第２の受信機チェーンを同調させる。幾つかの実施形態においては、ステップ２６０６、２６０８及び２６１０のうちの１つ以上が並行して実行される。様々な実施形態においては、第１のＲＦ周波数は、ステップ２６０４において選択されたＦＤＤ対のＦＤＤアップリンクに対応し、第２のＲＦ周波数は、ステップ２６０４において選択されたＦＤＤ対のＦＤＤダウンリンクに対応する。
【０２０８】
動作は、ステップ２６１０からステップ２６１２に進む。ステップ２６１２において、通信デバイスは、所定の時点に用いるためにモード制御モジュールが第１のモード、例えば広域ネットワークＦＤＤモード、及び第２のモード、例えばピア・ツー・ピア動作モード、のうちのいずれを選択するかの関数として第１の受信機チェーンの使用と第２の受信機チェーンの使用を切り換える。例えば、多モード通信デバイスは、通信デバイスが広域ネットワークＦＤＤモード又はピア・ツー・ピアモードのいずれのモードであるかにかかわらず送信機を用いる。しかしながら、受信に関しては、多モード通信デバイスは、ＷＡＭ  ＦＤＤモードであるときには第１の受信機チェーンを使用し、ピア・ツー・ピア動作モードであるときには第２の受信機チェーンを用いる。従って、ＷＡＮ通信はＦＤＤであり、ピア・ツー・ピア通信は、ＷＡＮ  ＦＤＤアップリンク帯域を共有するＴＤＤである。
【０２０９】
ステップ２６１２は、サブステップ２６１４と、２６１６と、２６１８と、を含む。サブステップ２６１４において、通信デバイスは、広域ネットワーク信号を受信することに対応する受信優先度を決定し、サブステップ２６１６において、通信デバイスは、ピア・ツー・ピア信号を受信することに対応する受信優先度を決定する。次に、サブステップ２６１８において、通信デバイスは、第１及び第２のモードを相対的受信優先度の関数として選択する。
【０２１０】
動作は、ステップ２６１２の出力からステップ２６１２の入力に進む。経時で、受信優先度は、例えば通信デバイスの特定ユーザー、サービスレベル情報、通信されるデータの種類、通信されるデータ量、レーテンシー上の考慮事項、等に起因して変化することがあり、時々変化する。
【０２１１】
図３０は、様々な実施形態による典型的多モード無線通信デバイス動作方法の流れ図２７００である。多モード無線通信デバイスは、例えば図２５のデバイス２０００である。動作は、ステップ２７０２において開始し、多モード通信デバイスに電源が投入されて初期設定され、ステップ２７０４に進む。ステップ２７０４において、無線端末は、第１の周波数分割複信アップリンク／ダウンリンク対、例えば関連づけられたチューナー周波数設定を有する一対のＦＤＤ周波数帯域、を複数の代替対の中から選択する。図２６の図２１００は、３つの典型的なＦＤＤアップリンク／ダウンリンク対を示す。
【０２１２】
動作は、ステップ２７０４からステップ２７０６に進み、ステップ２７０６において、通信デバイスは、第１のＲＦ周波数を有する送信信号を生成するために第１の送信機チェーンを同調させ、ステップ２７０８において、通信デバイスは、第２のＲＦ周波数を有する受信信号を処理するために第１の受信機チェーンを同調させる。動作は、ステップ２７０８からステップ２７１０に進み、ステップ２７１０において、通信デバイスは、前記第１のＲＦ周波数を有する受信信号を処理するために第２の受信機チェーンを同調させる。幾つかの実施形態においては、ステップ２７０６、２７０８及び２７１０のうちの１つ以上が並行して実行される。様々な実施形態においては、第１のＲＦ周波数は、ステップ２７０４において選択されたＦＤＤ対のＦＤＤアップリンクに対応し、第２のＲＦ周波数は、ステップ２７０４において選択されたＦＤＤ対のＦＤＤダウンリンクに対応する。
【０２１３】
動作は、ステップ２７１０からステップ２７１２に進む。ステップ２７１２において、通信デバイスは、ハンドオフインジケータ信号の有無をモニタリングする。検出されたハンドオフインジケータ信号に関して、動作は、ステップ２７１２からステップ２７１４に進む。
【０２１４】
ステップ２７１４において、通信デバイスは、ハンドオフがピア・ツー・ピア通信リンクからＷＡＮ通信リンクへのハンドオフであるかどうかを決定する。ハンドオフがピア・ツー・ピア通信リンクからＷＡＮ通信リンクへのハンドオフであると決定された場合は、動作は、ステップ２７１４からステップ２７１６に進む。その他の場合は、動作は、ステップ２７１４からステップ２７１８に進む。
【０２１５】
ステップ２７１８において、通信デバイスは、ハンドオフがＷＡＮ通信リンクからピア・ツー・ピア通信リンクへのハンドオフであるかどうかを決定する。ハンドオフがＷＡＮ通信リンクからピア・ツー・ピア通信リンクへのハンドオフであると決定された場合は、動作は、ステップ２７１８からステップ２７２０に進む。その他の場合は、リンクの型が変化してない、例えばＷＡＮネットワーク内の異なる基地局間又は異なる基地局セクター間においてハンドオフが発生中であり、受信機間の切り換えは行われないため、動作は、ステップ２７１８からステップ２７１２に進む。
【０２１６】
ステップ２７１６に戻り、ステップ２７１６において、通信デバイスは、第２の動作モード、例えばピア・ツー・ピア動作モード、から第１の動作モード、例えばＷＡＮ動作モード、に切り換わる。ステップ２７２０に戻り、ステップ２７２０において、通信デバイスは、第１の動作モード、例えばＷＡＮ動作モード、から第２の動作モード、例えばピア・ツー・ピア動作モード、に切り換わる。動作は、ステップ２７１６及び２７２０のうちの１つからステップ２７２２に進む。
【０２１７】
ステップ２７２２において、通信デバイスは、所定の時間に用いるために前記第１のモード、例えば広域ネットワークＦＤＤモード、及び前記第２の動作モード、例えばピア・ツー・ピア動作モード、のうちのいずれが選択されるかの関数として前記第１の受信機チェーンの使用と第２の受信機チェーンの使用を切り換える。例えば、動作がステップ２７１６に沿って進む場合は、受信機チェーンの使用が第２の受信機チェーンから第１の受信機チェーンに移行するような形での切り換えが行われる。この例を続けると、動作がステップ２７２０に沿って進んでいた場合は、受信機チェーンの使用が第１の受信機チェーンから第２の受信機チェーンに移行するような形での切り換えが行われる。動作は、ステップ２７２２からステップ２７１２に進み、追加のハンドオフインジケータ信号の有無をモニタリングする。
【０２１８】
様々な実施形態においては、ＷＡＮ  ＦＤＤ動作モード、例えばセルラー動作モード、及びピア・ツー・ピア動作モード、例えばＴＤＤピア・ツー・ピア動作モード、の両方において同じ送信機チェーンが用いられる。しかしながら、ＷＡＮ動作モードにおいてはピア・ツー・ピア動作モードにあるときと異なる受信機チェーンが利用される。様々な実施形態においては、ＴＤＤピア・ツー・ピア動作モードは、ＷＡＮにおいてアップリンクシグナリングに関して用いられるのと同じ周波数帯域を送信及び受信の両方に関して用いる。
【０２１９】
幾つかの実施形態においては、ＴＤＤ及びＦＤＤのうちの少なくとも１つを用いるセルに基づく通信システムは、ピア・ツー・ピアシグナリングを受け入れ、ピア・ツー・ピアシグナリングの少なくとも一部は、アップリンク広域ネットワークに関しても用いられるエアリンク資源、例えばセルに基づくアップリンクシグナリング、を共有する。幾つかの実施形態においては、ＴＤＤ及びＦＤＤのうちの少なくとも１つを用いる典型的なセルに基づく通信システムは、ピア・ツー・ピアシグナリングを受け入れてピア・ツー・ピアシグナリングの少なくとも一部がアップリンク広域ネットワークに関して典型的に予約されているエアリンク資源、例えばセルに基づくアップリンクシグナリング、を共有するように修正される。幾つかの実施形態においては、セルに基づくシグナリングをサポートするがピア・ツー・ピアシグナリングをサポートしない数多くのレガシー通信デバイスを通信システムにおいて引き続き使用することができる。様々な実施形態においては、通信システムは、ピア・ツー・ピア通信をサポートするがセルに基づく通信はサポートしない通信デバイスの少なくとも一部を有する通信デバイスの組合せをサポートする。幾つかの実施形態においては、通信システムは、ピア・ツー・ピア通信及びセルに基づく通信の両方をサポートする通信デバイスの少なくとも一部を有する通信デバイスの組合せをサポートする。
【０２２０】
主にＯＦＤＭシステムの関係で説明されているが、様々な実施形態の方法及び装置は、数多くのＯＦＤＭ以外の及び／又はセルラー以外のシステムを含む非常に広範な通信システムに適用可能である。幾つかの典型的システムは、ピア・ツー・ピアシグナリングにおいて利用される技術の組合せ、例えば幾つかのＯＦＤＭ型信号及び幾つかのＣＤＭＡ型信号、を含む。
【０２２１】
様々な実施形態においては、本明細書において説明されるノードは、１つ以上の方法に対応するステップ、例えば、アップリンク帯域幅の走査、基地局信号の評価、送信電力レベル制御パラメータの決定、ピア・ツー・ピア送信電力の制御、干渉測定、送信電力制御値の決定、送信電力制御パラメータの送信、等、を実行するための１つ以上のモジュールを用いて実装される。幾つかの実施形態においては、様々な特長がモジュールを用いて実装される。該モジュールは、ソフトウェア、ハードウェア又はソフトウェアとハードウェアの組合せを用いて実装することができる。上述される方法又は方法ステップの多くは、例えば１つ以上のノードにおいて上述される方法の全部又は一部を実装するように機械、例えば追加のハードウェアを有する又は有さない汎用コンピュータ、を制御するための、機械によって読み取り可能な媒体、例えばＲＡＭ、フロッピー（登録商標）ディスク、等のメモリデバイス、の中に含まれる機械によって実行可能な命令、例えばソフトウェア、を用いて実装することができる。従って、とりわけ、様々な実施形態は、機械、例えばプロセッサ及び関連するハードウェア、に上述される方法のステップのうちの１つ以上を実行させるための機械によって実行可能な命令を含む機械によって読み取り可能な媒体を対象とする。
【０２２２】
上記の説明に鑑みて、上述される側面の方法及び装置に関する数多くの追加の変形が当業者にとって明確になるであろう。該変形は、適用範囲内であるとみなされるべきである。様々な実施形態の方法及び装置は、ＣＤＭＡ、直交周波数分割多重（ＯＦＤＭ）、及び／又はアクセスノードとモバイルノードとの間において無線通信リンクを提供するために用いることができる様々なその他の型の通信技法とともに用いることができ、そして様々な実施形態において用いられる。幾つかの実施形態においては、アクセスノードは、ＯＦＤＭ及び／又はＣＤＭＡを用いるモバイルノードとの通信リンクを確立する基地局として実装される。様々な実施形態においては、モバイルノードは、様々な実施形態の方法を実装するための、ノート型コンピュータ、パーソナルデータアシスタント（ＰＤＡ）、又は受信機／送信機回路及び論理及び／又はルーチンを含むその他のポータブルデバイスとして実装される。
以下に、本願出願の当初の特許請求の範囲に記載された発明を付記する。
［Ｃ１］
無線通信端末を動作させる方法であって、
アップリンク帯域幅を走査して基地局からの信号を検出することと、
前記基地局からの前記信号を評価することと、
前記基地局からの前記信号の前記評価に応じてピア・ツー・ピア信号を送信すること、とを備える、方法。
［Ｃ２］
前記基地局からの前記信号は、ビーコン信号である［Ｃ１］に記載の方法。
［Ｃ３］
前記基地局からの前記信号を評価することは、前記基地局信号の送信パターンを評価することを含む［Ｃ１］に記載の方法。
［Ｃ４］
前記ピア・ツー・ピア信号を送信後に前記基地局信号のモニタリングを継続することと、
前記基地局信号の継続されたモニタリングに応じて送信電力を低下させること、とをさらに備える［Ｃ１］に記載の方法。
［Ｃ５］
前記アップリンク帯域幅は、デバイスが前記基地局に信号を送信するために用いられる一組の周波数を含む［Ｃ１］に記載の方法。
［Ｃ６］
前記基地局からの前記信号は、予め決められたフォーマットを有する［Ｃ１］に記載の方法。
［Ｃ７］
前記基地局からの前記信号は、予め決められた時間に送信される［Ｃ５］に記載の方法。
［Ｃ８］
ピア・ツー・ピア信号を送信することは、前記組の周波数のうちの一部を用いて前記ピア・ツー・ピア信号を送信することを含む［Ｃ５］に記載の方法。
［Ｃ９］
前記基地局からの前記信号を評価することは、
前記基地局からの前記信号の電力レベルを測定することを含む［Ｃ１］に記載の方法。
［Ｃ１０］
前記ビーコン信号は、ＯＦＤＭシンボルにおいて３つ未満のトーンを含む信号である［Ｃ２］に記載の方法。
［Ｃ１１］
前記ピア・ツー・ピア信号を送信後に追加の基地局信号の有無をモニタリングすることを継続することと、
前記追加の基地局信号の受信された電力と前記基地局からの前記信号の受信された電力との間の差を検出することに応じて送信電力を調整すること、とをさらに備える［Ｃ９］に記載の方法。
［Ｃ１２］
無線通信端末であって、
アップリンク帯域幅を走査して基地局からの信号を検出するための走査モジュールと、
前記基地局からの前記信号を評価するための信号評価モジュールと、
前記基地局からの前記信号の前記評価に応じてピア・ツー・ピア信号を送信するための無線送信機と、を備える、無線通信端末。
［Ｃ１３］
前記基地局からの前記信号は、ビーコン信号である［Ｃ１２の記載の無線通信端末。
［Ｃ１４］
前記信号評価モジュールは、前記基地局信号の送信パターンを評価するための送信パターン評価モジュールを含む［Ｃ１２］に記載の無線通信端末。
［Ｃ１５］
前記信号走査モジュールは、前記ピア・ツー・ピア信号を送信後に基地局シグナリングのモニタリングを継続し、
基地局シグナリングの継続されたモニタリングに応じて送信電力を低下させるための電力制御モジュールをさらに備える［Ｃ１２］に記載の無線通信端末。
［Ｃ１６］
前記アップリンク帯域幅は、デバイスが前記基地局に信号を送信するために用いられる一組の周波数を含み、
前記組の周波数を識別する格納された情報をさらに備える［Ｃ１２］に記載の無線通信端末。
［Ｃ１７］
前記基地局からの前記信号は、予め決められたフォーマットを有し、
前記予め決められたフォーマットを識別する格納された情報をさらに備える［Ｃ１２］に記載の無線通信端末。
［Ｃ１８］
前記基地局からの前記信号は、予め決められた時間に送信され、
前記基地局による前記アップリンク帯域幅内への前記予め決められた送信時間を識別する格納された反復的スケジュール情報をさらに備える［Ｃ１７］に記載の無線通信端末。
［Ｃ１９］
前記無線送信機は、チューナーをさらに含み、前記チューナーは、ピア・ツー・ピア信号を送信時に前記組の周波数の一部を用いるように設定される［Ｃ１６］に記載の無線通信端末。
［Ｃ２０］
前記信号評価モジュールは、前記基地局からの前記信号の電力レベルを測定するための電力測定モジュールを含む［Ｃ１２］に記載の無線通信端末。
［Ｃ２１］
前記ビーコン信号は、ＯＦＤＭシンボルにおいて３つ未満のトーンを含む信号である［Ｃ１３］に記載の無線通信端末。
［Ｃ２２］
前記走査モジュールは、前記ピア・ツー・ピア信号を送信後に追加の基地局信号の有無をモニタリングすることを継続し、
前記追加の基地局信号の受信された電力と前記基地局からの前記信号の受信された電力との間の差を検出することに応じて送信電力を調整するための送信電力制御モジュールをさらに備える［Ｃ２０］に記載の無線通信端末。
［Ｃ２３］
無線通信デバイスであって、
アップリンク帯域幅を走査して基地局からの信号を検出するための走査手段と、
前記基地局からの前記信号を評価するための手段と、
前記基地局からの前記信号の前記評価に応じてピア・ツー・ピア信号を送信するための手段と、を備える、無線通信デバイス。
［Ｃ２４］
前記基地局からの前記信号は、ビーコン信号である［Ｃ２３の記載の無線通信デバイス。
［Ｃ２５］
前記基地局からの前記信号を評価するための前記手段は、前記基地局信号の送信パターンを評価するための手段を含む［Ｃ２３］に記載の無線通信デバイス。
［Ｃ２６］
前記アップリンク帯域幅は、デバイスが前記基地局に信号を送信するために用いられる一組の周波数を含み、
格納された情報から前記組の周波数を識別するための手段をさらに備える［Ｃ２３］に記載の無線通信デバイス。
［Ｃ２７］
前記基地局からの前記信号は、予め決められたフォーマットを有し、
格納され情報から前記予め決められたフォーマットを識別するための手段をさらに備える［Ｃ２３］に記載の無線通信デバイス。
［Ｃ２８］
評価するための前記手段は、前記基地局からの前記信号の電力レベルを測定するための手段を含む［Ｃ２３］に記載の無線通信端末。
［Ｃ２９］
無線通信端末が方法を実装するように制御するための機械によって実行可能な命令を具体化したコンピュータによって読み取り可能な媒体であって、
前記方法は、
アップリンク帯域幅を走査して基地局からの信号を検出することと、
前記基地局からの前記信号を評価することと、
前記基地局からの前記信号の前記評価に応じてピア・ツー・ピア信号を送信すること、とを備える、コンピュータによって読み取り可能な媒体。
［Ｃ３０］
前記基地局からの前記信号は、ビーコン信号である［Ｃ２９］に記載のコンピュータによって読み取り可能な媒体。
［Ｃ３１］
前記基地局からの前記信号を評価することは、前記基地局信号の送信パターンを評価することを含む［Ｃ２９］に記載のコンピュータによって読み取り可能な媒体。
［Ｃ３２］
前記アップリンク帯域幅は、デバイスが前記基地局に信号を送信するために用いられる一組の周波数を含む［Ｃ２９］に記載のコンピュータによって読み取り可能な媒体。
［Ｃ３３］
前記基地局からの前記信号は、予め決められたフォーマットを有する［Ｃ２９］に記載のコンピュータによって読み取り可能な媒体。
［Ｃ３４］
前記基地局からの前記信号を評価することは、
前記基地局からの前記信号の電力レベルを測定することを含む［Ｃ２９］に記載のコンピュータによって読み取り可能な媒体。
［Ｃ３５］
装置であって、
アップリンク帯域幅を走査して基地局からの信号を検出し、
前記基地局からの前記信号を評価し、
前記基地局からの前記信号を前記評価することに応じてピア・ツー・ピア信号を送信するように構成されたプロセッサを備える、装置。
［Ｃ３６］
前記基地局からの前記信号は、ビーコン信号である［Ｃ３５］に記載の装置。
［Ｃ３７］
前記基地局からの前記信号を評価するためにピア・ツー・ピア送信電力を制御するためのプロセッサ構成は、前記基地局信号の送信パターンを評価するように構成されることをさらに含む［Ｃ３５］に記載の装置。
［Ｃ３８］
前記アップリンク帯域幅は、デバイスが前記基地局に信号を送信するために用いられる一組の周波数を含む［Ｃ３５］に記載の装置。
［Ｃ３９］
前記基地局からの前記信号は、予め決められたフォーマットを有する［Ｃ３５］に記載の装置。
［Ｃ４０］
前記基地局からの前記信号を評価するための前記プロセッサ構成は、
前記基地局からの前記信号の電力レベルを測定するように構成されることをさらに含む［Ｃ３５記載の装置。
［Ｃ４１］
基地局を動作させる方法であって、
第１の期間中に、アップリンク周波数帯域において前記基地局に送信中のセルラー通信デバイスからアップリンク信号を受信することと、
前記アップリンク周波数帯域と異なる第２の周波数帯域を用いて前記通信デバイスの少なくとも一部を送信することと、ここにおいて、前記第２の周波数帯域は、ダウンリンク周波数帯域であることと、
前記アップリンク周波数帯域において、第２の期間中にブロードキャスト信号を送信すること、とを備える、方法。
［Ｃ４２］
前記ブロードキャスト信号は、ビーコン信号である［Ｃ４１］に記載の方法。
［Ｃ４３］
前記ブロードキャスト信号は、電力送信レベル制御信号である［Ｃ４１］に記載の方法。
［Ｃ４４］
前記電力送信レベル制御信号は、ピア・ツー・ピア電力送信レベル制御信号である［Ｃ４３］に記載の方法。
［Ｃ４５］
セルラー通信デバイスからの前記アップリンク信号は、前記アップリンク周波数帯域において送信されて前記アップリンク信号と干渉するピア・ツー・ピア通信信号が存在する状態で前記第１の期間中に受信される［Ｃ４１］に記載の方法。
［Ｃ４６］
基地局であって、
第１の期間中に、アップリンク周波数帯域において前記基地局に送信中のセルラー通信デバイスからアップリンク信号を受信するための無線受信機モジュールと、
ダウンリンク周波数帯域を用いて前記セルラー通信デバイスの少なくとも一部に送信するための及び前記アップリンク周波数帯域において第２の期間中にブロードキャスト信号を送信するための無線送信機モジュールとを備え、前記アップリンク周波数帯域及び前記ダウンリンク周波数帯域は異なる、基地局。
［Ｃ４７］
前記第１及び第２の期間は、重なり合わない［Ｃ４６］に記載の基地局。
［Ｃ４８］
前記ブロードキャスト信号は、ビーコン信号であり、
前記アップリンク周波数帯域内に送信されるビーコン信号を生成するためのビーコン信号生成モジュールをさらに備える［Ｃ４６］に記載の基地局。
［Ｃ４９］
前記ブロードキャスト信号は、電力送信レベル制御信号である［Ｃ４６］に記載の基地局。
［Ｃ５０］      
前記電力送信レベル制御信号は、ピア・ツー・ピア電力送信レベル制御信号である［Ｃ４９］に記載の基地局。
［Ｃ５１］
セルラー通信デバイスからの前記アップリンク信号は、前記アップリンク周波数帯域において送信されて前記アップリンク信号と干渉するピア・ツー・ピア通信信号が存在する状態で前記第１の期間中に受信される［Ｃ４６］に記載の基地局。
［Ｃ５２］
前記基地局は、前記アップリンク周波数帯域内の前記ビーコン信号に加えて、前記ダウンリンク周波数帯域内にもビーコン信号を送信する［Ｃ４８］に記載の基地局。
［Ｃ５３］
前記ダウンリンク帯域内への前記ビーコン信号は、セルラー通信デバイスによって用いられ、前記アップリンク周波数帯域内への前記ビーコン信号は、ピア・ツー・ピア通信デバイスによって用いられる［Ｃ４８］に記載の基地局。
［Ｃ５４］
前記ダウンリンク帯域内の少なくとも１つのビーコン信号は、基地局識別のためにセルラー通信デバイスによって用いられ、前記アップリンク周波数帯域内への少なくとも１つのビーコン信号は、ピア・ツー・ピア送信電力制御に関してピア・ツー・ピア通信デバイスによって用いられる［Ｃ４８］に記載の基地局。
［Ｃ５５］
基地局であって、
第１の期間中に、アップリンク周波数帯域において前記基地局に送信中のセルラー通信デバイスからアップリンク信号を受信するための無線受信機手段と、
ダウンリンク周波数帯域を用いて前記セルラー通信デバイスの少なくとも一部に送信するための及び前記アップリンク周波数帯域において第２の期間中にブロードキャスト信号を送信するための手段とを備え、前記アップリンク周波数帯域及び前記ダウンリンク周波数帯域は異なる、基地局。
［Ｃ５６］
前記ブロードキャスト信号は、ビーコン信号であり、
前記アップリンク周波数帯域内に送信されるビーコン信号を生成するための手段をさらに備える［Ｃ５５］に記載の基地局。
［Ｃ５７］
前記ブロードキャスト信号は、電力送信レベル制御信号である［Ｃ５５］に記載の基地局。
［Ｃ５８］
セルラー通信デバイスからの前記アップリンク信号は、前記アップリンク周波数帯域において送信されて前記アップリンク信号と干渉するピア・ツー・ピア通信信号が存在する状態で前記第１の期間中に受信される［Ｃ５５］に記載の基地局。
［Ｃ５９］
前記基地局は、
前記アップリンク周波数帯域内の前記ビーコン信号に加えて、前記ダウンリンク周波数帯域内にビーコン信号を送信するための手段をさらに備える［Ｃ５６］に記載の基地局。
［Ｃ６０］
前記ダウンリンク帯域内への前記ビーコン信号は、セルラー通信デバイスによって用いられ、前記アップリンク周波数帯域内への前記ビーコン信号は、ピア・ツー・ピア通信デバイスによって用いられる［Ｃ５６］に記載の基地局。
［Ｃ６１］
基地局が方法を実装するように制御するための機械によって実行可能な命令を具体化したコンピュータによって読み取り可能な媒体であって、
前記方法は、
第１の期間中に、アップリンク周波数帯域において前記基地局に送信中のセルラー通信デバイスからアップリンク信号を受信することと、
前記アップリンク周波数帯域と異なる第２の周波数帯域を用いて前記通信デバイスの少なくとも一部を送信することと、ここにおいて、前記第２の周波数帯域は、ダウンリンク周波数帯域であることと、
前記アップリンク周波数帯域において、第２の期間中にブロードキャスト信号を送信すること、とを備える、コンピュータによって読み取り可能な媒体。
［Ｃ６２］
前記ブロードキャスト信号は、ビーコン信号である［Ｃ６１］に記載のコンピュータによって読み取り可能な媒体。
［Ｃ６３］
前記ブロードキャスト信号は、電力送信レベル制御信号である［Ｃ６１］に記載のコンピュータによって読み取り可能な媒体。
［Ｃ６４］
前記電力送信レベル制御信号は、ピア・ツー・ピア電力送信レベル制御信号である［Ｃ６３にコンピュータによって読み取り可能な媒体。
［Ｃ６５］
セルラー通信デバイスからの前記アップリンク信号は、前記アップリンク周波数帯域において送信されて前記アップリンク信号と干渉するピア・ツー・ピア通信信号が存在する状態で前記第１の期間中に受信される［Ｃ６１］に記載のコンピュータによって読み取り可能な媒体。
［Ｃ６６］
装置であって、
第１の期間中に、アップリンク周波数帯域において前記基地局プロセッサを含む基地局に送信中のセルラー通信デバイスからアップリンク信号を受信し、
前記アップリンク周波数帯域と異なる第２の周波数帯域を用いて前記通信デバイスの少なくとも一部に送信し、
前記アップリンク周波数帯域において、第２の期間中にブロードキャスト信号を送信するように構成されたプロセッサを備え、前記第２の周波数帯域は、ダウンリンク周波数帯域である、装置。
［Ｃ６７］
前記ブロードキャスト信号は、ビーコン信号である［Ｃ６６］に記載の装置。
［Ｃ６８］
前記ブロードキャスト信号は、電力送信レベル制御信号である［Ｃ６６］に記載の装置。
［Ｃ６９］
前記電力送信レベル制御信号は、ピア・ツー・ピア電力送信レベル制御信号である［Ｃ６８］に記載の装置。
［Ｃ７０］
セルラー通信デバイスからの前記アップリンク信号は、前記アップリンク周波数帯域において送信されて前記アップリンク信号と干渉するピア・ツー・ピア通信信号が存在する状態で前記第１の期間中に受信される［Ｃ６６］に記載の装置。
【図１】
0005405609.tif 000002
【図２】
0005405609.tif 000003
【図３】
0005405609.tif 000004
【図４】
0005405609.tif 000005
【図５】
0005405609.tif 000006
【図６】
0005405609.tif 000007
【図７】
0005405609.tif 000008
【図７Ａ】
0005405609.tif 000009
【図７Ｂ】
0005405609.tif 000010
【図８】
0005405609.tif 000011
【図９】
0005405609.tif 000012
【図１０】
0005405609.tif 000013
【図１１】
0005405609.tif 000014
【図１２】
0005405609.tif 000015
【図１３】
0005405609.tif 000016
【図１４】
0005405609.tif 000017
【図１５】
0005405609.tif 000018
【図１６】
0005405609.tif 000019
【図１７】
0005405609.tif 000020
【図１８】
0005405609.tif 000021
【図１９】
0005405609.tif 000022
【図２０】
0005405609.tif 000023
【図２１】
0005405609.tif 000024
【図２２】
0005405609.tif 000025
【図２３】
0005405609.tif 000026
【図２４】
0005405609.tif 000027
【図２５】
0005405609.tif 000028
【図２６】
0005405609.tif 000029
【図２７】
0005405609.tif 000030
【図２８】
0005405609.tif 000031
【図２９】
0005405609.tif 000032
【図３０】
0005405609.tif 000033